(57)【特許請求の範囲】
【請求項１】
カメラと、前記カメラに着脱自在に装着される交換レンズと、を備えたカメラシステムであって、
前記カメラは、
カメラ側通信端子と、
前記カメラ側通信端子の極性を第１極性又は第２極性に設定するカメラ側通信端子極性設定部であって、前記カメラが、特定の機能に対応している場合は第１極性に設定し、対応していない場合は第２極性に設定するカメラ側通信端子極性設定部と、
前記カメラ側通信端子の極性を検出し、検出した極性が第１極性の場合に前記交換レンズが前記特定の機能に対応していると判定するカメラ側判定部と、
を備え、
前記交換レンズは、
前記カメラに装着された場合に前記カメラ側通信端子に接続されるレンズ側通信端子と、
前記レンズ側通信端子の極性を第１極性又は第２極性に設定するレンズ側通信端子極性設定部であって、前記交換レンズが、前記特定の機能に対応している場合は第１極性に設定し、対応していない場合は第２極性に設定するレンズ側通信端子極性設定部と、
前記レンズ側通信端子の極性を検出し、検出した極性が第１極性の場合に前記カメラが前記特定の機能に対応していると判定するレンズ側判定部と、
を備え、
前記カメラ側通信端子及び前記レンズ側通信端子は、相互に接続された状態で両方とも第１極性に設定された場合にのみ、両方とも第１極性となり、少なくとも一方が第２極性に設定された場合は、両方とも第２極性となる、
カメラシステム。
【請求項２】
前記カメラ側通信端子及び前記レンズ側通信端子は、それぞれ前記カメラ及び前記交換レンズがシリアル通信する際に使用する複数の端子のうちの１つであり、
前記カメラは、前記カメラ側判定部による判定後に、前記交換レンズとシリアル通信する際に使用する複数の端子の通信設定を行うカメラ側通信設定部を更に備え、
前記交換レンズは、前記レンズ側判定部による判定後に、前記カメラとシリアル通信する際に使用する複数の端子の通信設定を行うレンズ側通信設定部を更に備える、
請求項１に記載のカメラシステム。
【請求項３】
前記カメラ及び前記交換レンズの間に着脱自在に装着されるアクセサリーを更に含み、
前記特定の機能は、前記アクセサリーが装着された場合に、装着された前記アクセサリーと通信する機能である、
請求項１又は２に記載のカメラシステム。
【請求項４】
前記カメラは、カメラ側拡張通信端子を更に備え、
前記交換レンズは、前記カメラに装着された場合に前記カメラ側拡張通信端子に接続されるレンズ側拡張通信端子を更に備え、
前記アクセサリーは、前記カメラに装着された場合に前記カメラ側拡張通信端子に接続されるアクセサリー側第１拡張通信端子と、前記交換レンズが装着された場合に前記レンズ側拡張通信端子に接続されるアクセサリー側第２拡張通信端子と、を備え、
前記交換レンズが前記カメラに直接装着された場合、前記カメラ及び前記交換レンズは、前記カメラ側拡張通信端子及び前記レンズ側拡張通信端子を介して通信し、
前記アクセサリーが装着された場合であって、前記カメラ及び前記交換レンズの双方が前記特定の機能に対応している場合、前記カメラ及び前記アクセサリーは、前記カメラ側拡張通信端子及び前記アクセサリー側第１拡張通信端子を介して通信し、前記交換レンズ及び前記アクセサリーは、前記レンズ側拡張通信端子及び前記アクセサリー側第２拡張通信端子を介して通信する、
請求項３に記載のカメラシステム。
【請求項５】
前記アクセサリーが装着された場合であって、前記カメラ及び前記交換レンズの双方が前記特定の機能に対応している場合、前記カメラは、前記カメラ側拡張通信端子及び前記アクセサリー側第１拡張通信端子を介して前記アクセサリーと通信し、前記アクセサリーから前記アクセサリーの情報を取得する、
請求項４に記載のカメラシステム。
【請求項６】
前記アクセサリーが装着された場合であって、前記カメラ及び前記交換レンズの双方が前記特定の機能に対応している場合、前記交換レンズは、前記レンズ側拡張通信端子及び前記アクセサリー側第２拡張通信端子を介して前記アクセサリーと通信し、前記交換レンズの情報を前記アクセサリーに送信し、前記アクセサリーは、前記アクセサリー側第１拡張通信端子及び前記カメラ側拡張通信端子を介して前記カメラと通信し、前記交換レンズから受信した前記交換レンズの情報に前記アクセサリーの情報を付加して前記カメラに送信する、
請求項５に記載のカメラシステム。
【請求項７】
前記カメラは、前記アクセサリーの情報を取得した後、前記カメラ側拡張通信端子、前記アクセサリー側第１拡張通信端子、前記アクセサリー側第２拡張通信端子及び前記レンズ側拡張通信端子を介して前記交換レンズと通信し、前記交換レンズの状態の情報を前記交換レンズから取得する、
請求項５又は６に記載のカメラシステム。
【請求項８】
前記交換レンズは、前記レンズ側拡張通信端子の極性を第１極性に設定するレンズ側拡張通信端子極性設定部を更に備え、
前記アクセサリーは、前記アクセサリー側第１拡張通信端子の極性を第２極性に設定するアクセサリー側第１拡張通信端子極性設定部を更に備え、
前記カメラは、前記カメラ側拡張通信端子の極性を検出して、前記アクセサリーの装着を検出するアクセサリー検出部を更に備え、
前記アクセサリー検出部は、前記カメラ側拡張通信端子の極性が第１極性の場合、前記アクセサリーが装着されていると判定し、前記カメラ側拡張通信端子の極性が第２極性の場合、前記アクセサリーが装着されていないと判定して、前記アクセサリーの装着を検出する、
請求項４から７のいずれか１項に記載のカメラシステム。
【請求項９】
交換レンズが着脱自在に装着されるカメラであって、
前記交換レンズが装着された場合に前記交換レンズに備えられたレンズ側通信端子に接続されるカメラ側通信端子と、
前記カメラ側通信端子の極性を第１極性又は第２極性に設定するカメラ側通信端子極性設定部であって、前記カメラが、特定の機能に対応している場合は第１極性に設定し、対応していない場合は第２極性に設定するカメラ側通信端子極性設定部と、
前記カメラ側通信端子の極性を検出し、検出した極性が第１極性の場合に前記交換レンズが前記特定の機能に対応していると判定するカメラ側判定部と、
を備え、
前記交換レンズは、前記特定の機能に対応している場合、前記レンズ側通信端子の極性が第１極性に設定され、対応していない場合、前記レンズ側通信端子の極性が第２極性に設定され、
前記カメラ側通信端子及び前記レンズ側通信端子は、相互に接続された状態で両方とも第１極性に設定された場合にのみ、両方とも第１極性となり、少なくとも一方が第２極性に設定された場合は、両方とも第２極性となる、
カメラ。
【請求項１０】
前記カメラ側通信端子は、前記カメラが前記交換レンズとシリアル通信する際に使用する複数の端子のうちの１つであり、
前記カメラ側判定部による判定後に、前記交換レンズとシリアル通信する際に使用する複数の端子の通信設定を行うカメラ側通信設定部を更に備える、
請求項９に記載のカメラ。
【請求項１１】
カメラに着脱自在に装着される交換レンズであって、
前記カメラに装着された場合に前記カメラに備えられたカメラ側通信端子に接続されるレンズ側通信端子と、
前記レンズ側通信端子の極性を第１極性又は第２極性に設定するレンズ側通信端子極性設定部であって、前記交換レンズが、特定の機能に対応している場合は第１極性に設定し、対応していない場合は第２極性に設定するレンズ側通信端子極性設定部と、
前記レンズ側通信端子の極性を検出し、検出した極性が第１極性の場合に前記カメラが前記特定の機能に対応していると判定するレンズ側判定部と、
を備え、
前記カメラは、前記特定の機能に対応している場合、前記カメラ側通信端子の極性が第１極性に設定され、対応していない場合、前記カメラ側通信端子の極性が第２極性に設定され、
前記カメラ側通信端子及び前記レンズ側通信端子は、相互に接続された状態で両方とも第１極性に設定された場合にのみ、両方とも第１極性となり、少なくとも一方が第２極性に設定された場合は、両方とも第２極性となる、
交換レンズ。
【請求項１２】
前記レンズ側通信端子は、前記交換レンズが前記カメラとシリアル通信する際に使用する複数の端子のうちの１つであり、
前記レンズ側判定部による判定後に、前記カメラとシリアル通信する際に使用する複数の端子の通信設定を行うレンズ側通信設定部を更に備える、
請求項１１に記載の交換レンズ。
【請求項１３】
カメラと、前記カメラに着脱自在に装着される交換レンズと、を備えたカメラシステムの互換性判定方法であって、
前記交換レンズを前記カメラに装着するステップと、
前記カメラに備えられたカメラ側通信端子の極性を第１極性又は第２極性に設定するステップであって、前記カメラが、特定の機能に対応している場合は第１極性に設定し、対応していない場合は第２極性に設定するステップと、
前記交換レンズに備えられたレンズ側通信端子の極性を第１極性又は第２極性に設定するステップであって、前記交換レンズが、前記特定の機能に対応している場合は第１極性に設定し、対応していない場合は第２極性に設定するステップと、
前記カメラ側通信端子の極性に基づいて、前記カメラに装着された前記交換レンズが前記特定の機能に対応しているか否かを判定するステップであって、前記カメラ側通信端子の極性が第１極性の場合に前記交換レンズが前記特定の機能に対応していると判定するステップと、
前記レンズ側通信端子の極性に基づいて、前記交換レンズが装着された前記カメラが前記特定の機能に対応しているか否かを判定するステップであって、前記レンズ側通信端子の極性が第１極性の場合に前記カメラが前記特定の機能に対応していると判定するステップと、
を備え、前記カメラ側通信端子及び前記レンズ側通信端子は、相互に接続された状態で両方とも第１極性に設定された場合にのみ、両方とも第１極性となり、少なくとも一方が第２極性に設定された場合は、両方とも第２極性となる、
カメラシステムの互換性判定方法。
【請求項１４】
前記カメラ側通信端子及び前記レンズ側通信端子は、前記カメラ及び前記交換レンズがシリアル通信する際に使用する複数の端子のうちの１つであり、
前記カメラに装着された前記交換レンズが前記特定の機能に対応しているか否かを判定するステップ、及び、前記交換レンズが装着された前記カメラが前記特定の機能に対応しているか否かを判定するステップの後に前記カメラ及び前記交換レンズがシリアル通信する際に使用する複数の端子の通信設定を行うステップを更に含む、
請求項１３に記載のカメラシステムの互換性判定方法。
【請求項１５】
前記カメラシステムは、前記カメラ及び前記交換レンズの間に着脱自在に装着されるアクセサリーを更に含み、
前記特定の機能は、前記カメラと前記交換レンズとの間に前記アクセサリーが装着された場合に、装着された前記アクセサリーとの間で通信する機能である、
請求項１３又は１４に記載のカメラシステムの互換性判定方法。
【請求項１６】
前記アクセサリーが装着された場合であって、前記カメラ及び前記交換レンズの双方が前記特定の機能に対応している場合、
前記カメラに備えられたカメラ側拡張通信端子及び前記アクセサリーに備えられたアクセサリー側第１拡張通信端子を介して、前記カメラ及び前記アクセサリーが通信するステップと、
前記交換レンズに備えられたレンズ側拡張通信端子及び前記アクセサリーに備えられたアクセサリー側第２拡張通信端子を介して、前記交換レンズ及び前記アクセサリーが通信するステップと、
を更に含む、
請求項１５に記載のカメラシステムの互換性判定方法。
【請求項１７】
前記交換レンズ及び前記アクセサリーが通信するステップでは、前記交換レンズの情報を前記アクセサリーに送信し、
前記カメラ及び前記アクセサリーが通信するステップでは、前記交換レンズから受信した前記交換レンズの情報に前記アクセサリーの情報を付加して前記カメラに送信する、
請求項１６に記載のカメラシステムの互換性判定方法。
【請求項１８】
前記アクセサリーの情報及び前記交換レンズの情報を取得した後、前記カメラ側拡張通信端子、前記アクセサリー側第１拡張通信端子、前記アクセサリー側第２拡張通信端子及び前記レンズ側拡張通信端子を介して、前記カメラ及び前記交換レンズが通信し、前記カメラが前記交換レンズの状態の情報を取得するステップを更に含む、
請求項１７に記載のカメラシステムの互換性判定方法。
【発明の詳細な説明】
【技術分野】
【０００１】
本発明は、レンズ交換式のカメラシステム、カメラ、交換レンズ、及び、その互換性判定方法に関する。
【背景技術】
【０００２】
レンズ交換式のカメラシステムでは、カメラと交換レンズとが、さまざまに組み合わされて使用される。この結果、新しいタイプのカメラと古いタイプの交換レンズとが組み合わされて使用されることがある。【０００３】
新しいタイプのカメラには、新たな機能が搭載されている場合があり、この場合、古いタイプの交換レンズでは、当該機能を使用できない場合がある。同様に、古いタイプのカメラでは、新しいタイプの交換レンズに搭載されている機能を使用できない場合がある。【０００４】
このため、レンズ交換式のカメラシステムでは、起動時にカメラ及び交換レンズの双方で互換性の有無が判定される。たとえば、特許文献１に記載のカメラシステムでは、起動時にカメラと交換レンズとの間で所定の情報を送受して、互換性の有無を判定する構成としている。
【先行技術文献】
【特許文献】
【０００５】
【特許文献１】特開2010-204430号公報
【発明の概要】
【発明が解決しようとする課題】
【０００６】
しかしながら、特許文献１に記載のカメラシステムのように、カメラと交換レンズとの間で所定の情報を送受して、互換性を判定する構成では、カメラと交換レンズとの間で通信を確立させたり、互いに情報を送受したりする必要があり、判定に時間がかかるという欠点がある。また、この結果、起動に時間がかかるという欠点がある。【０００７】
本発明は、このような事情に鑑みてなされたもので、簡単かつ迅速にカメラと交換レンズとの間の互換性を判定できるカメラシステム、カメラ、交換レンズ、及び、カメラシステムの互換性判定方法を提供することを目的とする。
【課題を解決するための手段】
【０００８】
上記課題を解決するための手段は、次のとおりである。【０００９】
（１）カメラと、カメラに着脱自在に装着される交換レンズと、を備えたカメラシステムであって、カメラは、カメラ側通信端子と、カメラ側通信端子の極性を第１極性又は第２極性に設定するカメラ側通信端子極性設定部であって、カメラが、特定の機能に対応している場合は第１極性に設定し、対応していない場合は第２極性に設定するカメラ側通信端子極性設定部と、カメラ側通信端子の極性を検出し、検出した極性が第１極性の場合に交換レンズが特定の機能に対応していると判定するカメラ側判定部と、を備え、交換レンズは、カメラに装着された場合にカメラ側通信端子に接続されるレンズ側通信端子と、レンズ側通信端子の極性を第１極性又は第２極性に設定するレンズ側通信端子極性設定部であって、交換レンズが、特定の機能に対応している場合は第１極性に設定し、対応していない場合は第２極性に設定するレンズ側通信端子極性設定部と、レンズ側通信端子の極性を検出し、検出した極性が第１極性の場合にカメラが特定の機能に対応していると判定するレンズ側判定部と、を備え、カメラ側通信端子及びレンズ側通信端子は、相互に接続された状態で両方とも第１極性に設定された場合にのみ、両方とも第１極性となり、少なくとも一方が第２極性に設定された場合は、両方とも第２極性となる、カメラシステム。【００１０】
本態様によれば、カメラ側通信端子及びレンズ側通信端子の極性に基づいて、互換性が判定される。ここで、カメラ側通信端子及びレンズ側通信端子は、相互に接続された状態で両方とも第１極性に設定された場合にのみ、両方とも第１極性となり、少なくとも一方が第２極性に設定された場合は、両方とも第２極性となる動作を行う。いわゆる論理積として機能する。このような機能は、たとえば、カメラ側通信端子及びレンズ側通信端子をオープンドレイン出力が可能な端子で構成することで実現できる。カメラは、自身が特定の機能に対応している場合、カメラ側通信端子の極性が第１極性に設定され、対応していない場合は、カメラ側通信端子の極性が第２極性に設定される。交換レンズも同様であり、自身が特定の機能に対応している場合は、レンズ側通信端子の極性が第１極性に設定され、対応していない場合は、レンズ側通信端子の極性が第２極性に設定される。この場合、カメラ及び交換レンズの双方が特定の機能に対応している場合にのみ、カメラ側通信端子及びレンズ側通信端子の極性が第１極性となる。それ以外は第２極性となる。したがって、カメラ側通信端子及びレンズ側通信端子の極性の状態を判定すれば、互換性を判定できる。すなわち、カメラ側通信端子及びレンズ側通信端子の極性が、第１極性の場合は互換性あり、第２極性の場合は互換性なし、と判定できる。なお、互換性なしの場合とは、カメラと交換レンズの少なくとも一方が特定の機能に対応していない場合である。このように、本態様によれば、カメラ側通信端子及びレンズ側通信端子の極性に基づいて互換性を判定できるので、簡単かつ迅速にカメラと交換レンズとの間の互換性を判定できる。【００１１】
（２）カメラ側通信端子及びレンズ側通信端子は、それぞれカメラ及び交換レンズがシリアル通信する際に使用する複数の端子のうちの１つであり、カメラは、カメラ側判定部による判定後に、交換レンズとシリアル通信する際に使用する複数の端子の通信設定を行うカメラ側通信設定部を更に備え、交換レンズは、レンズ側判定部による判定後に、カメラとシリアル通信する際に使用する複数の端子の通信設定を行うレンズ側通信設定部を更に備える、上記（１）のカメラシステム。【００１２】
本態様によれば、カメラ及び交換レンズがシリアル通信する際に使用する複数の端子のうちの１つをカメラ側通信端子及びレンズ側通信端子として使用して、互換性が判定される。これにより、別途、カメラ側通信端子及びレンズ側通信端子を備える必要がなくなり、構成を簡素化できる。カメラ側通信端子及びレンズ側通信端子として使用した端子は、互換性の判定後、本来の用途である通信に使用される。【００１３】
（３）カメラ及び交換レンズの間に着脱自在に装着されるアクセサリーを更に含み、特定の機能は、アクセサリーが装着された場合に、装着されたアクセサリーと通信する機能である、上記（１）又は（２）のカメラシステム。【００１４】
本態様によれば、カメラシステムにアクセサリーが含まれる。カメラ及び交換レンズは、特定の機能への対応の有無として、装着されたアクセサリーと通信する機能の有無が判定される。これにより、アクセサリーが装着された場合に、カメラ及び交換レンズがアクセサリーと通信できるか否かを簡単かつ迅速に判定できる。【００１５】
（４）カメラは、カメラ側拡張通信端子を更に備え、交換レンズは、カメラに装着された場合にカメラ側拡張通信端子に接続されるレンズ側拡張通信端子を更に備え、アクセサリーは、カメラに装着された場合にカメラ側拡張通信端子に接続されるアクセサリー側第１拡張通信端子と、交換レンズが装着された場合にレンズ側拡張通信端子に接続されるアクセサリー側第２拡張通信端子と、を備え、交換レンズがカメラに直接装着された場合、カメラ及び交換レンズは、カメラ側拡張通信端子及びレンズ側拡張通信端子を介して通信し、アクセサリーが装着された場合であって、カメラ及び交換レンズの双方が特定の機能に対応している場合、カメラ及びアクセサリーは、カメラ側拡張通信端子及びアクセサリー側第１拡張通信端子を介して通信し、交換レンズ及びアクセサリーは、レンズ側拡張通信端子及びアクセサリー側第２拡張通信端子を介して通信する、上記（３）のカメラシステム。【００１６】
本態様によれば、カメラにカメラ側拡張通信端子が備えられ、交換レンズにレンズ側拡張通信端子が備えられる。カメラ側拡張通信端子及びレンズ側拡張通信端子は、交換レンズをカメラに装着すると、相互に接続される。交換レンズがカメラに直接装着された場合、カメラ及び交換レンズは、カメラ側拡張通信端子及びレンズ側拡張通信端子を介して通信する。また、アクセサリーには、カメラに装着された場合にカメラ側拡張通信端子に接続されるアクセサリー側第１拡張通信端子、及び、交換レンズが装着された場合にレンズ側拡張通信端子に接続されるアクセサリー側第２拡張通信端子が備えられる。アクセサリーが装着された場合であって、カメラ及び交換レンズの双方が特定の機能に対応している場合、すなわち、双方がアクセサリーと通信する機能に対応している場合、カメラ及びアクセサリーは、カメラ側拡張通信端子及びアクセサリー側第１拡張通信端子を介して通信する。また、交換レンズ及びアクセサリーは、レンズ側拡張通信端子及びアクセサリー側第２拡張通信端子を介して通信する。【００１７】
（５）アクセサリーが装着された場合であって、カメラ及び交換レンズの双方が特定の機能に対応している場合、カメラは、カメラ側拡張通信端子及びアクセサリー側第１拡張通信端子を介してアクセサリーと通信し、アクセサリーからアクセサリーの情報を取得する、上記（４）のカメラシステム。【００１８】
本態様によれば、アクセサリーが装着された場合であって、カメラ及び交換レンズの双方が特定の機能に対応している場合、すなわち、双方がアクセサリーと通信する機能に対応している場合、カメラは、カメラ側拡張通信端子及びアクセサリー側第１拡張通信端子を介してアクセサリーと通信し、アクセサリーからアクセサリーの情報を取得する。これにより、カメラ側において、アクセサリーの情報を取得できる。【００１９】
（６）アクセサリーが装着された場合であって、カメラ及び交換レンズの双方が特定の機能に対応している場合、交換レンズは、レンズ側拡張通信端子及びアクセサリー側第２拡張通信端子を介してアクセサリーと通信し、交換レンズの情報をアクセサリーに送信し、アクセサリーは、アクセサリー側第１拡張通信端子及びカメラ側拡張通信端子を介してカメラと通信し、交換レンズから受信した交換レンズの情報にアクセサリーの情報を付加してカメラに送信する、上記（５）のカメラシステム。【００２０】
本態様によれば、アクセサリーが装着された場合であって、カメラ及び交換レンズの双方が特定の機能に対応している場合、すなわち、双方がアクセサリーと通信する機能に対応している場合、交換レンズは、レンズ側拡張通信端子及びアクセサリー側第２拡張通信端子を介してアクセサリーと通信し、交換レンズの情報をアクセサリーに送信する。また、アクセサリーは、アクセサリー側第１拡張通信端子及びカメラ側拡張通信端子を介してカメラと通信し、交換レンズから受信した交換レンズの情報にアクセサリーの情報を付加してカメラに送信する。これにより、カメラ側において、一度に交換レンズ及びアクセサリーの情報を取得できる。【００２１】
（７）カメラは、アクセサリーの情報を取得した後、カメラ側拡張通信端子、アクセサリー側第１拡張通信端子、アクセサリー側第２拡張通信端子及びレンズ側拡張通信端子を介して交換レンズと通信し、交換レンズの状態の情報を交換レンズから取得する、上記（５）又は（６）のカメラシステム。【００２２】
本態様によれば、アクセサリーの情報を取得した後、カメラは、カメラ側拡張通信端子、アクセサリー側第１拡張通信端子、アクセサリー側第２拡張通信端子及びレンズ側拡張通信端子を介して交換レンズと通信し、交換レンズの状態の情報を交換レンズから取得する。これにより、アクセサリーの情報の取得後も拡張通信端子を有効活用できる。【００２３】
（８）交換レンズは、レンズ側拡張通信端子の極性を第１極性に設定するレンズ側拡張通信端子極性設定部を更に備え、アクセサリーは、アクセサリー側第１拡張通信端子の極性を第２極性に設定するアクセサリー側第１拡張通信端子極性設定部を更に備え、カメラは、カメラ側拡張通信端子の極性を検出して、アクセサリーの装着を検出するアクセサリー検出部を更に備え、アクセサリー検出部は、カメラ側拡張通信端子の極性が第１極性の場合、アクセサリーが装着されていると判定し、カメラ側拡張通信端子の極性が第２極性の場合、アクセサリーが装着されていないと判定して、アクセサリーの装着を検出する、上記（４）から（７）のいずれか一のカメラシステム。【００２４】
本態様によれば、レンズ側拡張通信端子の極性を第１極性に設定するレンズ側拡張通信端子極性設定部と、アクセサリー側第１拡張通信端子の極性を第２極性に設定するアクセサリー側第１拡張通信端子極性設定部と、が更に備えられる。カメラは、カメラ側拡張通信端子の極性を検出して、アクセサリーの装着を検出する。具体的には、カメラ側拡張通信端子の極性が第１極性の場合、アクセサリーが装着されていると判定し、カメラ側拡張通信端子の極性が第２極性の場合、アクセサリーが装着されていないと判定して、アクセサリーの装着を検出する。これにより、簡単かつ迅速にアクセサリーの装着の有無を検出できる。【００２５】
（９）交換レンズが着脱自在に装着されるカメラであって、交換レンズが装着された場合に交換レンズに備えられたレンズ側通信端子に接続されるカメラ側通信端子と、カメラ側通信端子の極性を第１極性又は第２極性に設定するカメラ側通信端子極性設定部であって、カメラが、特定の機能に対応している場合は第１極性に設定し、対応していない場合は第２極性に設定するカメラ側通信端子極性設定部と、カメラ側通信端子の極性を検出し、検出した極性が第１極性の場合に交換レンズが特定の機能に対応していると判定するカメラ側判定部と、を備え、交換レンズは、特定の機能に対応している場合、レンズ側通信端子の極性が第１極性に設定され、対応していない場合、レンズ側通信端子の極性が第２極性に設定され、カメラ側通信端子及びレンズ側通信端子は、相互に接続された状態で両方とも第１極性に設定された場合にのみ、両方とも第１極性となり、少なくとも一方が第２極性に設定された場合は、両方とも第２極性となる、カメラ。【００２６】
本態様によれば、カメラ側通信端子の極性に基づいて互換性を判定できるので、簡単かつ迅速に交換レンズとの間の互換性を判定できる。【００２７】
（１０）カメラ側通信端子は、カメラが交換レンズとシリアル通信する際に使用する複数の端子のうちの１つであり、カメラ側判定部による判定後に、交換レンズとシリアル通信する際に使用する複数の端子の通信設定を行うカメラ側通信設定部を更に備える、上記（９）のカメラ。【００２８】
本態様によれば、カメラが交換レンズとシリアル通信する際に使用する複数の端子のうちの１つをカメラ側通信端子として使用して、互換性が判定される。これにより、別途、カメラ側通信端子を備える必要がなくなり、構成を簡素化できる。カメラ側通信端子として使用した端子は、互換性の判定後、本来の用途である通信に使用される。【００２９】
（１１）カメラに着脱自在に装着される交換レンズであって、カメラに装着された場合にカメラに備えられたカメラ側通信端子に接続されるレンズ側通信端子と、レンズ側通信端子の極性を第１極性又は第２極性に設定するレンズ側通信端子極性設定部であって、交換レンズが、特定の機能に対応している場合は第１極性に設定し、対応していない場合は第２極性に設定するレンズ側通信端子極性設定部と、レンズ側通信端子の極性を検出し、検出した極性が第１極性の場合にカメラが特定の機能に対応していると判定するレンズ側判定部と、を備え、カメラは、特定の機能に対応している場合、カメラ側通信端子の極性が第１極性に設定され、対応していない場合、カメラ側通信端子の極性が第２極性に設定され、カメラ側通信端子及びレンズ側通信端子は、相互に接続された状態で両方とも第１極性に設定された場合にのみ、両方とも第１極性となり、少なくとも一方が第２極性に設定された場合は、両方とも第２極性となる、交換レンズ。【００３０】
本態様によれば、レンズ側通信端子の極性に基づいて互換性を判定できるので、簡単かつ迅速にカメラとの間の互換性を判定できる。【００３１】
（１２）レンズ側通信端子は、交換レンズがカメラとシリアル通信する際に使用する複数の端子のうちの１つであり、レンズ側判定部による判定後に、カメラとシリアル通信する際に使用する複数の端子の通信設定を行うレンズ側通信設定部を更に備える、上記（１１）の交換レンズ。【００３２】
本態様によれば、交換レンズがカメラとシリアル通信する際に使用する複数の端子のうちの１つをレンズ側通信端子として使用して、互換性が判定される。これにより、別途、レンズ側通信端子を備える必要がなくなり、構成を簡素化できる。レンズ側通信端子として使用した端子は、互換性の判定後、本来の用途である通信に使用される。【００３３】
（１３）カメラと、カメラに着脱自在に装着される交換レンズと、を備えたカメラシステムの互換性判定方法であって、交換レンズをカメラに装着するステップと、カメラに備えられたカメラ側通信端子の極性を第１極性又は第２極性に設定するステップであって、カメラが、特定の機能に対応している場合は第１極性に設定し、対応していない場合は第２極性に設定するステップと、交換レンズに備えられたレンズ側通信端子の極性を第１極性又は第２極性に設定するステップであって、交換レンズが、特定の機能に対応している場合は第１極性に設定し、対応していない場合は第２極性に設定するステップと、カメラ側通信端子の極性に基づいて、カメラに装着された交換レンズが特定の機能に対応しているか否かを判定するステップであって、カメラ側通信端子の極性が第１極性の場合に交換レンズが特定の機能に対応していると判定するステップと、レンズ側通信端子の極性に基づいて、交換レンズが装着されたカメラが特定の機能に対応しているか否かを判定するステップであって、レンズ側通信端子の極性が第１極性の場合にカメラが特定の機能に対応していると判定するステップと、を備え、カメラ側通信端子及びレンズ側通信端子は、相互に接続された状態で両方とも第１極性に設定された場合にのみ、両方とも第１極性となり、少なくとも一方が第２極性に設定された場合は、両方とも第２極性となる、カメラシステムの互換性判定方法。【００３４】
本態様によれば、カメラが、特定の機能に対応している場合、カメラ側通信端子の極性が、第１極性に設定され、対応していない場合、第２極性に設定される。また、交換レンズが、特定の機能に対応している場合、レンズ側通信端子の極性が、第１極性に設定され、対応していない場合、第２極性に設定される。ここで、カメラ側通信端子及びレンズ側通信端子は、相互に接続された状態で両方とも第１極性に設定された場合にのみ、両方とも第１極性となり、少なくとも一方が第２極性に設定された場合は、両方とも第２極性となる。したがって、カメラ側通信端子及びレンズ側通信端子の極性の状態を判定すれば、互換性を判定できる。具体的には、カメラ側においては、カメラ側通信端子の極性が第１極性の場合にのみ、交換レンズが特定の機能に対応していると判定する。また、交換レンズ側においては、レンズ側通信端子の極性が第１極性の場合にのみ、カメラが特定の機能に対応していると判定する。このように、本態様によれば、カメラ側通信端子及びレンズ側通信端子の極性に基づいて互換性を判定できるので、簡単かつ迅速にカメラと交換レンズとの間の互換性を判定できる。【００３５】
（１４）カメラ側通信端子及びレンズ側通信端子は、カメラ及び交換レンズがシリアル通信する際に使用する複数の端子のうちの１つであり、カメラに装着された交換レンズが特定の機能に対応しているか否かを判定するステップ、及び、交換レンズが装着されたカメラが特定の機能に対応しているか否かを判定するステップの後にカメラ及び交換レンズがシリアル通信する際に使用する複数の端子の通信設定を行うステップを更に含む、上記（１３）のカメラシステムの互換性判定方法。【００３６】
本態様によれば、カメラ及び交換レンズがシリアル通信する際に使用する複数の端子のうちの１つをカメラ側通信端子及びレンズ側通信端子として使用して、互換性が判定される。これにより、別途、カメラ側通信端子及びレンズ側通信端子を備える必要がなくなり、構成を簡素化できる。カメラ側通信端子及びレンズ側通信端子として使用した端子は、互換性の判定後、本来の用途である通信に使用される。【００３７】
（１５）カメラシステムは、カメラ及び交換レンズの間に着脱自在に装着されるアクセサリーを更に含み、特定の機能は、カメラと交換レンズとの間にアクセサリーが装着された場合に、装着されたアクセサリーとの間で通信する機能である、上記（１３）又は（１４）のカメラシステムの互換性判定方法。【００３８】
本態様によれば、カメラシステムにアクセサリーが含まれる。カメラ及び交換レンズは、特定の機能への対応の有無として、装着されたアクセサリーと通信する機能の有無が判定される。これにより、アクセサリーが装着された場合に、カメラ及び交換レンズがアクセサリーと通信できるか否かを簡単かつ迅速に判定できる。【００３９】
（１６）アクセサリーが装着された場合であって、カメラ及び交換レンズの双方が特定の機能に対応している場合、カメラに備えられたカメラ側拡張通信端子及びアクセサリーに備えられたアクセサリー側第１拡張通信端子を介して、カメラ及びアクセサリーが通信するステップと、交換レンズに備えられたレンズ側拡張通信端子及びアクセサリーに備えられたアクセサリー側第２拡張通信端子を介して、交換レンズ及びアクセサリーが通信するステップと、を更に含む、上記（１５）のカメラシステムの互換性判定方法。【００４０】
本態様によれば、アクセサリーが装着された場合であって、カメラ及び交換レンズの双方が特定の機能に対応している場合、すなわち、双方がアクセサリーと通信する機能に対応している場合、カメラ及びアクセサリーは、カメラ側拡張通信端子及びアクセサリー側第１拡張通信端子を介して通信する。また、交換レンズ及びアクセサリーは、レンズ側拡張通信端子及びアクセサリー側第２拡張通信端子を介して通信する。【００４１】
（１７）交換レンズ及びアクセサリーが通信するステップでは、交換レンズの情報をアクセサリーに送信し、カメラ及びアクセサリーが通信するステップでは、交換レンズから受信した交換レンズの情報にアクセサリーの情報を付加してカメラに送信する、上記（１６）のカメラシステムの互換性判定方法。【００４２】
本態様によれば、交換レンズ及びアクセサリーが通信するステップにおいて、交換レンズの情報がアクセサリーに送信される。アクセサリーは、交換レンズから受信した交換レンズの情報に自身の情報を付加してカメラに送信する。これにより、カメラ側において、一度に交換レンズ及びアクセサリーの情報を取得できる。【００４３】
（１８）アクセサリーの情報及び交換レンズの情報を取得した後、カメラ側拡張通信端子、アクセサリー側第１拡張通信端子、アクセサリー側第２拡張通信端子及びレンズ側拡張通信端子を介して、カメラ及び交換レンズが通信し、カメラが交換レンズの状態の情報を取得するステップを更に含む、上記（１７）のカメラシステムの互換性判定方法。【００４４】
本態様によれば、アクセサリーの情報及び交換レンズの情報を取得した後、カメラは、カメラ側拡張通信端子、アクセサリー側第１拡張通信端子、アクセサリー側第２拡張通信端子及びレンズ側拡張通信端子を介して交換レンズと通信し、交換レンズの状態の情報を交換レンズから取得する。これにより、アクセサリー及び交換レンズの情報の取得後も拡張通信端子を有効活用できる。
【発明の効果】
【００４５】
本発明によれば、簡単かつ迅速にカメラと交換レンズとの間の互換性を判定できる。
【図面の簡単な説明】
【００４６】
【図１】レンズ交換式のカメラシステムの一例を示すシステム構成図
【図２】カメラ側マウントの正面図
【図３】レンズ側マウントの正面図
【図４】カメラの電気的な主要構成を示すブロック図
【図５】電源部の電気的構成を示すブロック図
【図６】カメラマイコンが実現する機能の一例を示すブロック図
【図７】交換レンズの電気的な主要構成を示すブロック図
【図８】レンズマイコンが実現する機能の一例を示すブロック図
【図９】カメラと交換レンズとの電気的な接続を示す図
【図１０】カメラ及び交換レンズに備えられた互換性判定に係わる機能のブロック図
【図１１】特定の機能への対応状況に応じたカメラ側通信端子及びレンズ側通信端子の出力設定と検出される極性との関係を示す表
【図１２】レンズ交換式のカメラシステムの第２の実施の形態のシステム構成図
【図１３】アクセサリーの電気的な構成を示す図
【図１４】アクセサリーマイコンが実現する機能の一例を示すブロック図
【図１５】カメラと交換レンズとの間にアクセサリーを装着した場合の相互の電気的な接続を示す図
【発明を実施するための形態】
【００４７】
以下、添付図面に従って本発明を実施するための好ましい形態について詳説する。
【００４８】
◆◆第１の実施の形態◆◆
［カメラシステムの構成］
レンズ交換式のカメラシステムは、少なくとも一つのカメラと、少なくとも一つの交換レンズと、を備えて構成される。
【００４９】
図１は、レンズ交換式のカメラシステムの一例を示すシステム構成図である。
【００５０】
同図に示すカメラシステム１は、複数のカメラ１０と、複数の交換レンズ１００と、を備えて構成される。
【００５１】
複数のカメラ１０は、それぞれデジタルカメラで構成される。各カメラ１０は、仕様又は機能が異なる。たとえば、イメージセンサーの有効画素数、設定可能な撮影感度、設定可能な測光方式、設定可能な露出制御方式、シャッター形式、設定可能なシャッター速度、連写枚数、設定可能なフォーカスモード、設定可能なホワイトバランス等が異なる。各カメラ１０は、それぞれ共通のカメラ側マウント１４を備える。したがって、各カメラ１０で同じ交換レンズ１００を装着できる。
【００５２】
複数の交換レンズ１００は、それぞれ仕様の異なるレンズで構成される。たとえば、焦点距離、手ブレ補正機能の有無等が異なる。各交換レンズ１００は、それぞれ共通のレンズ側マウント１０４を備える。レンズ側マウント１０４は、カメラ側マウント１４に対応した構造を有する。したがって、各交換レンズ１００は、いずれのカメラ１０にも装着できる。
【００５３】
《カメラ側マウント》
図２は、カメラ側マウントの正面図である。
【００５４】
各カメラ１０は、そのカメラボディー１２の正面部分にカメラ側マウント１４を備える。カメラ側マウント１４は、交換レンズ１００の装着部である。カメラ側マウント１４は、公知のバヨネット式のマウントで構成される。なお、図２において、矢印Ｒで示す方向（時計回りの方向）が、カメラ１０に交換レンズ１００を装着する場合の交換レンズ１００の回転方向である。
【００５５】
カメラ側マウント１４には、複数の端子ＣＣ１〜ＣＣ１２で構成されるカメラ側端子群ＣＣＧが備えられる。カメラ側端子群ＣＣＧを構成する複数の端子ＣＣ１〜ＣＣ１２は、撮影光軸を中心とする一つの円の円周上に一定の間隔をもって配置される。各端子ＣＣ１〜ＣＣ１２が有する機能については後述する。
【００５６】
《レンズ側マウント》
図３は、レンズ側マウントの正面図である。
【００５７】
交換レンズ１００は、そのレンズ鏡胴１０２の基端部にレンズ側マウント１０４を備える。レンズ側マウント１０４は、カメラ１０に備えられたカメラ側マウント１４に対応したバヨネット式のマウントで構成される。なお、図３において、矢印Ｒで示す方向（反時計回りの方向）が、カメラ１０に交換レンズ１００を装着する場合の交換レンズ１００の回転方向（カメラ側マウント１４にレンズ側マウント１０４を装着する場合のレンズ側マウント１０４の回転方向と同義）である。
【００５８】
レンズ側マウント１０４には、複数の端子ＬＣ１〜ＬＣ１２で構成されるレンズ側端子群ＬＣＧが備えられる。レンズ側端子群ＬＣＧは、カメラ側端子群ＣＣＧに対応して設けられる。したがって、カメラ側端子群ＣＣＧを構成する端子と同じ数の端子で構成され、かつ、各端子ＬＣ１〜ＬＣ１２は、カメラ側端子群ＣＣＧを構成する端子ＣＣ１〜ＣＣ１２と同じ間隔で配置される。
【００５９】
交換レンズ１００をカメラ１０に装着すると、レンズ側端子群ＬＣＧの各端子ＬＣ１〜ＬＣ１２が、カメラ側端子群ＣＣＧの対応する端子ＣＣ１〜ＣＣ１２に接続される。すなわち、レンズ側端子群ＬＣＧの第１の端子ＬＣ１がカメラ側端子群ＣＣＧの第１の端子ＣＣ１に接続され、レンズ側端子群ＬＣＧの第２の端子ＬＣ２がカメラ側端子群ＣＣＧの第２の端子ＣＣ２に接続され、…、レンズ側端子群ＬＣＧの第１２の端子ＬＣ１２がカメラ側端子群ＣＣＧの第１２の端子ＣＣ１２に接続される。
【００６０】
レンズ側端子群ＬＣＧを構成する各端子ＬＣ１〜ＬＣ１２の機能については後述する。
【００６１】
《カメラの電気的構成》
ここでは、各カメラ１０が、共通して備える電気的な主要構成について説明する。
【００６２】
図４は、カメラの電気的な主要構成を示すブロック図である。
【００６３】
同図に示すように、カメラ１０は、イメージセンサー１６、シャッター１８、イメージセンサー駆動部２０、シャッター駆動部２２、アナログ信号処理部２４、表示部２６、画像データ記憶部２８、カメラ操作部３０、電源部３２、及び、カメラマイコン３４を備える。
【００６４】
〈イメージセンサー〉
イメージセンサー１６は、交換レンズを介して結像した被写体の光学像を電気信号に変換して出力する。イメージセンサー１６には、ＣＣＤイメージセンサー（ＣＣＤ：Charged Coupled Device／電荷結合素子）、ＣＭＯＳイメージセンサー（ＣＭＯＳ：Complementary Metal Oxide Semiconductor／相補型金属酸化膜半導体）等の公知のイメージセンサーが使用される。
【００６５】
〈イメージセンサー駆動部〉
イメージセンサー駆動部２０は、イメージセンサー１６の駆動回路で構成される。イメージセンサー駆動部２０は、カメラマイコン３４からの指示に応じて、イメージセンサー１６を駆動する。
【００６６】
〈シャッター〉
シャッター１８は、イメージセンサー１６への露光時間を調整する光路開閉装置である。シャッター１８は、たとえば、スクエア型のフォーカルプレーンシャッターで構成され、イメージセンサー１６の直前に配置される。
【００６７】
〈シャッター駆動部〉
シャッター駆動部２２は、シャッター１８に備えられるチャージモーター、電磁石等を駆動する駆動回路で構成される。シャッター駆動部２２は、カメラマイコン３４からの指示に応じてチャージモーター、電磁石等を駆動する。
【００６８】
〈アナログ信号処理部〉
アナログ信号処理部２４は、イメージセンサー１６から出力されたアナログの画像信号を取り込み、所定の信号処理（たとえば、相関二重サンプリング処理、増幅処理等）を施した後、デジタルの画像信号に変換して出力する。
【００６９】
〈表示部〉
表示部２６は、モニター、及び、その駆動回路で構成される。モニターは、たとえば、ＬＣＤ（ＬＣＤ：Liquid Crystal Display／液晶ディスプレー）で構成され、カメラボディーの背面に備えられる。
【００７０】
〈画像データ記憶部〉
画像データ記憶部２８は、撮影した画像データの記憶部である。画像データ記憶部２８は、メモリーカードと、そのメモリーカードを装着するソケットとを備える。メモリーカードに対する画像データの読み出し、及び、書き込みは、カメラマイコン３４によって制御される。
【００７１】
〈カメラ操作部〉
カメラ操作部３０は、カメラ１０の操作部であり、各種操作ボタン類と、その操作ボタン類の操作を検出して、カメラマイコン３４に操作信号を出力する回路と、で構成される。カメラ１０に備えられる操作ボタン類には、電源ボタン、レリーズボタン等が含まれる。
【００７２】
〈電源部〉
電源部３２は、カメラマイコン３４による制御の下、カメラ１０及び交換レンズ１００の動作に必要な電源を生成し、供給する。
【００７３】
図５は、電源部の電気的構成を示すブロック図である。
【００７４】
同図に示すように、電源部３２は、バッテリー４０、電源供給部４２、及び、レンズ駆動用電源スイッチ部４４を備える。
【００７５】
バッテリー４０は、カメラ１０及び交換レンズ１００の電源である。バッテリー４０は、カメラボディーに備えられた図示しないバッテリー室に着脱自在に装填される。
【００７６】
電源供給部４２は、カメラマイコン３４による制御の下、バッテリー４０からカメラ１０及び交換レンズ１００の動作に必要な各種電源を生成し、各部に供給する。電源供給部４２は、たとえば、ＤＣ−ＤＣコンバーター（ＤＣ：Direct Current／直流）で構成される。
【００７７】
本実施の形態のカメラ１０では、交換レンズ１００に供給する電源として、それぞれ電圧の異なる複数のレンズ駆動用電源を生成する。本実施の形態のカメラ１０では、電圧が＋５Ｖの第１のレンズ駆動用電源ＬＶ１と、電圧が＋６．５Ｖの第２のレンズ駆動用電源ＬＶ２と、電圧が＋１０Ｖの第３のレンズ駆動用電源ＬＶ３を生成する。
【００７８】
後述するように、最も低い電圧の第１のレンズ駆動用電源ＬＶ１は、カメラ側端子群ＣＣＧの第２の端子ＣＣ２に供給される。第２のレンズ駆動用電源ＬＶ２は、カメラ側端子群ＣＣＧの第３の端子ＣＣ３に供給される。最も高い電圧の第３のレンズ駆動用電源ＬＶ３は、カメラ側端子群ＣＣＧの第４の端子ＣＣ４に供給される。
【００７９】
レンズ駆動用電源スイッチ部４４は、カメラマイコン３４からの指示に応じて、電源供給部４２から供給される複数のレンズ駆動用電源ＬＶ１、ＬＶ２、ＬＶ３の供給を個別にオンオフする。これにより、電源供給部４２からカメラ側端子群ＣＣＧの複数の端子ＣＣ２、ＣＣ３、ＣＣ４に供給されるレンズ駆動用電源ＬＶ１、ＬＶ２、ＬＶ３の供給を個別にオンオフできる。
【００８０】
〈カメラマイコン〉 
カメラマイコン３４は、カメラ１０の動作を統括制御するカメラ１０の制御部である。カメラマイコン３４は、ＣＰＵ（ＣＰＵ：Central Processing Unit／中央処理装置）、ＲＯＭ（ＲＯＭ：Read Only Memory／読み込み専用のメモリー）、及び、ＲＡＭ（ＲＡＭ：Random Access Memory／データの書込みと読出しが可能なメモリー）を備え、規定のプログラムを実行することにより各種機能を提供する。ＲＯＭには、ＣＰＵが実行する各種プログラムの他、制御に必要な各種データ等が格納される。
【００８１】
図６は、カメラマイコンが実現する機能の一例を示すブロック図である。
【００８２】
同図に示すように、カメラマイコン３４は、規定のプログラムを実行することにより、デジタル信号処理部５０、表示制御部５２、記録制御部５４、電源制御部５６、レンズ駆動用電源スイッチ制御部５８、レンズ装着検出部６０、カメラ通信部６２等として機能する。
【００８３】
デジタル信号処理部５０は、アナログ信号処理部２４から出力されたデジタルの画像信号を取り込み、所定の信号処理を施して画像データを生成する。
【００８４】
表示制御部５２は、表示部２６に備えられたモニターに対して、所定の情報を表示させる。たとえば、再生モードに設定された場合にメモリーカードから読み出した画像をモニターに表示させる。また、撮影モードに設定された場合にイメージセンサー１６で捉えた画像をリアルタイムに表示させる。更に、各種設定を行う際に設定画面をモニターに表示させる。
【００８５】
記録制御部５４は、画像データ記憶部２８のソケットに装着されたメモリーカードに対して、画像データの読み書きを行う。
【００８６】
電源制御部５６は、電源供給部４２を制御して、各部への電源の供給を制御する。
【００８７】
レンズ駆動用電源スイッチ制御部５８は、レンズ駆動用電源スイッチ部４４を制御して、レンズ駆動用電源の供給を制御する。具体的には、電源供給部４２からカメラ側端子群ＣＣＧの複数の電源端子（第２の端子ＣＣ２、第３の端子ＣＣ３及び第４の端子ＣＣ４）に供給されるレンズ駆動用電源ＬＶ１、ＬＶ２、ＬＶ３の供給を個別にオンオフして、レンズ駆動用電源の供給を制御する。これにより、選択的にレンズ駆動用電源を供給できる。
【００８８】
レンズ装着検出部６０は、交換レンズ１００の装着を検出する。レンズ装着検出部６０は、カメラマイコン入出力ポート６４に備えられたレンズ検出用ポートＣＰ０の極性を検出して、交換レンズ１００の装着の有無を判定する。
【００８９】
カメラ通信部６２は、カメラ１０に装着された交換レンズ１００と通信する。通信は、カメラマイコン入出力ポート６４を介して行われる。カメラマイコン入出力ポート６４には、交換レンズ１００と通信するための複数の通信用ポートＣＰ１〜ＣＰ７が備えられる。
【００９０】
ここで、第１の通信用ポートＣＰ１は、交換レンズ１００からカメラ１０に状態を通知するための通信用ポートである。特に、本実施の形態のカメラシステム１では、交換レンズ１００の所定の機能が動作中であることを通知するポートとして第１の通信用ポートＣＰ１が使用される。たとえば、絞り用モーターが動作中であることを通知するポートとして使用される。
【００９１】
第２の通信用ポートＣＰ２は、カメラ１０から交換レンズ１００にＶＳＹＮＣ信号（ＶＳＹＮＣ：Vertical SYNChronizing／垂直同期信号）を送信するための通信用ポートである。
【００９２】
第３の通信用ポートＣＰ３、第４の通信用ポートＣＰ４及び第５の通信用ポートＣＰ５は、交換レンズ１００との間で３線による同期式のシリアル通信（以下、３線式シリアル通信という。）を行うための通信用ポートである。具体的には、同期式シリアル通信インターフェースであるＳＰＩ（ＳＰＩ：Serial Peripheral Interface）を構成する通信用ポートである。
【００９３】
第３の通信用ポートＣＰ３は、ＳＰＩマスターとしてのカメラ１０からＳＰＩスレーブとしての交換レンズ１００に信号を送信するための通信用ポート（ＭＯＳＩポート（ＭＯＳＩ：Master Out Slave In））である。
【００９４】
また、第４の通信用ポートＣＰ４は、ＳＰＩマスターとしてのカメラ１０からＳＰＩスレーブとしての交換レンズ１００に同期用のクロック信号を送信するための通信用ポート（ＳＣＫポート（ＳＣＫ：Serial ClocK））である。
【００９５】
また、第５の通信用ポートＣＰ５は、ＳＰＩスレーブとしての交換レンズ１００からＳＰＩマスターとしてのカメラ１０に信号を送信するための通信用ポート（ＭＩＳＯポート（ＭＩＳＯ：Master In Slave Out））である。なお、この第５の通信用ポートＣＰ５は、オープンドレイン出力が可能に構成される。この点については、後述する。
【００９６】
第６の通信用ポートＣＰ６も、交換レンズ１００との間でシリアル通信するための通信用ポートであり、単方向のシリアル通信を行うための通信用ポートである。より具体的には、単線による調歩同期式のシリアル通信（以下、単線式シリアル通信という）を行うための通信用ポートであり、ＵＡＲＴ（Universal Asynchronous Receiver Transmitter）を構成する通信用ポートである。特に、本実施の形態のカメラシステム１では、第６の通信用ポートＣＰ６が、ＲＸＤポート（ＲＸＤ：Received eXchange Data／データ受信）として機能し、交換レンズ１００から送信された信号の受信するための通信用ポートとして使用される。
【００９７】
第７の通信用ポートＣＰ７は、交換レンズ１００からカメラ１０に状態を通知するための通信用ポートである。
【００９８】
カメラ通信部６２は、第３の通信用ポートＣＰ３、第４の通信用ポートＣＰ４及び第５の通信用ポートＣＰ５を使用して、交換レンズ１００との間で３線式シリアル通信を行う際、その通信を確立するために必要な設定を行う。すなわち、カメラ通信部６２は、カメラ側通信設定部としても機能する。
【００９９】
交換レンズ１００との間の通信、及び、マウントを介した交換レンズ１００との間の電気的な接続については、後に詳述する。
【０１００】
なお、上記は、デジタルカメラとしての基本的な構成についての説明であり、各カメラは、更に個別の機能を備えることができる。
【０１０１】
《交換レンズの電気的構成》
ここでは、各交換レンズ１００が、共通して備える電気的な主要構成について説明する。
【０１０２】
図７は、交換レンズの電気的な主要構成を示すブロック図である。同図は、ＡＦ機構（ＡＦ：Auto Focus／オートフォーカス）、及び、絞りを備えた交換レンズの電気的構成を示している。
【０１０３】
同図に示すように、交換レンズ１００は、レンズ駆動部１１０と、レンズ側システム電源生成部１１２と、レンズマイコン１１４と、を備える。
【０１０４】
〈レンズ駆動部〉
レンズ駆動部１１０は、レンズマイコン１１４からの指示に応じて、交換レンズ１００を構成する光学部材を駆動する。
【０１０５】
上記のように、図７に示す交換レンズ１００は、ＡＦ機能及び絞りを備えている。このため、本例の交換レンズ１００には、レンズ駆動部１１０として、フォーカス駆動部１１０Ａ及び絞り駆動部１１０Ｃが備えられる。
【０１０６】
フォーカス駆動部１１０Ａは、フォーカシング用の光学部材であるフォーカスレンズ１０６Ａを駆動する。フォーカス駆動部１１０Ａは、フォーカスレンズを駆動するためのフォーカス用モーター（たとえば、超音波モーター）、及び、その駆動回路を備えて構成される。フォーカス駆動部１１０Ａは、レンズマイコン１１４からの指示に応じてフォーカス用モーターを駆動し、フォーカスレンズ１０６Ａを動作させる。
【０１０７】
絞り駆動部１１０Ｃは、光量調整用の光学部材である絞りを駆動する。絞り駆動部１１０Ｃは、絞り１０６Ｃを駆動するための絞り用モーター、及び、その駆動回路を備えて構成される。絞り駆動部１１０Ｃは、レンズマイコン１１４からの指示に応じて絞り用モーターを駆動し、絞り１０６Ｃを動作させる。
【０１０８】
後述するように、レンズ駆動部１１０には、レンズ側端子群ＬＣＧの複数の端子ＬＣ２〜ＬＣ４（電源端子）から電圧の異なる複数のレンズ駆動用電源ＬＶ１（＋５Ｖ）、ＬＶ２（＋６．５Ｖ）、ＬＶ３（＋１０Ｖ）が供給される。レンズ駆動部１１０の各駆動部には、この複数供給されるレンズ駆動用電源ＬＶ１、ＬＶ２、ＬＶ３のいずれかが供給される。たとえば、フォーカス駆動部１１０Ａには、最も高い電圧の第３のレンズ駆動用電源ＬＶ３が供給され、絞り駆動部１１０Ｃには、最も低い電圧の第１のレンズ駆動用電源ＬＶ１が供給される。
【０１０９】
〈レンズ側システム電源生成部〉
レンズ側システム電源生成部１１２は、レンズマイコン１１４を動作させるためのシステム電源を生成する。レンズ側システム電源生成部１１２は、カメラ１０から供給されるレンズ駆動用電源を使用して、システム電源を生成する。
【０１１０】
ここで、レンズマイコン１１４は、レンズ駆動部１１０を構成する各駆動部よりも低い電圧で作動する構成とされる。たとえば、＋３．３Ｖで作動する構成とされる。
【０１１１】
レンズ側システム電源生成部１１２は、カメラ１０から供給される複数のレンズ駆動用電源ＬＶ１〜ＬＶ３のうち最も低い電圧のレンズ駆動用電源ＬＶ１（＋５Ｖ）を使用してシステム電源（＋３．３Ｖ）を生成し、レンズマイコン１１４に供給する。この際、レンズ側システム電源生成部１１２は、抵抗による電圧降下によりシステム電源を生成する。これにより、システム電源の生成に伴うノイズの発生を防止できる。
【０１１２】
このように抵抗による電圧降下によりシステム電源を生成する装置としては、ＬＤＯレギュレーターを例示できる。ＬＤＯレギュレーターは、リニアレギュレーターの一つであり、パワーＭＯＳＦＥＴ、パワートランジスタ等のスイッチング素子のオン抵抗を利用して、入力電力を消費することにより所望の出力電圧に変換する。
【０１１３】
〈レンズマイコン〉
レンズマイコン１１４は、交換レンズ１００の動作を統括制御する交換レンズ１００の制御部である。レンズマイコン１１４は、カメラマイコン３４からの指示に基づいて、交換レンズ１００の動作を制御する。
【０１１４】
レンズマイコン１１４は、ＣＰＵ、ＲＯＭ、及び、ＲＡＭを備え、規定のプログラムを実行することにより各種機能を提供する。ＲＯＭには、ＣＰＵが実行する各種プログラムの他、制御に必要な各種データ等が格納される。
【０１１５】
図８は、レンズマイコンが実現する機能の一例を示すブロック図である。
【０１１６】
同図に示すように、レンズマイコン１１４は、規定のプログラムを実行することにより、フォーカス駆動制御部１２０、絞り駆動制御部１２４、及び、レンズ通信部１２６等として機能する。
【０１１７】
フォーカス駆動制御部１２０は、カメラマイコン３４からの指示に応じて、フォーカス駆動部１１０Ａを制御し、フォーカスレンズ１０６Ａを動作させる。
【０１１８】
絞り駆動制御部１２４は、カメラマイコン３４からの指示に応じて、絞り駆動部１１０Ｃを制御し、絞り１０６Ｃを動作させる。
【０１１９】
レンズ通信部１２６は、交換レンズ１００が装着されたカメラ１０と通信する。通信は、レンズマイコン入出力ポート１２８を介して行われる。レンズマイコン入出力ポート１２８には、交換レンズ１００と通信するための複数の通信用ポートＬＰ１〜ＬＰ７が備えられる。この通信用ポートＬＰ１〜ＬＰ７は、カメラマイコン３４のカメラマイコン入出力ポート６４に備えられた複数の通信用ポートＣＰ１〜ＣＰ７に対応して設けられる。
【０１２０】
したがって、第１の通信用ポートＬＰ１は、カメラ１０の状態の通知に使用され、第２の通信用ポートＬＰ２は、カメラ１０から送信されるＶＳＹＮＣ信号の受信に使用される。
【０１２１】
また、第３の通信用ポートＬＰ３、第４の通信用ポートＬＰ４及び第５の通信用ポートＬＰ５は、カメラ１０との間の３線式シリアル通信に使用される。なお、第５の通信用ポートＬＰ５は、オープンドレイン出力が可能に構成される。この点については、後述する。
【０１２２】
また、第６の通信用ポートＬＰ６は、カメラ１０との間で単線式シリアル通信を行うための通信用ポートであり、ＵＡＲＴを構成する通信用ポートである。特に、本実施の形態のカメラシステム１では、第６の通信用ポートＬＰ６がＴＸＤポート（ＴＸＤ：Transmit eXchange Data／データ送信）として使用される。すわち、カメラ１０に信号を送信するための通信用ポートとして使用される。
【０１２３】
また、第７の通信用ポートＬＰ７は、カメラ１０への状態の通知に使用される。
【０１２４】
カメラ１０との間の通信、及び、マウントを介したカメラ１０との間の電気的な接続については、後に詳述する。
【０１２５】
レンズ通信部１２６は、第３の通信用ポートＬＰ３、第４の通信用ポートＬＰ４及び第５の通信用ポートＬＰ５を使用して、カメラ１０との間で３線式シリアル通信を行う際、その通信を確立するために必要な設定を行う。すなわち、レンズ通信部１２６は、レンズ側通信設定部としても機能する。
【０１２６】
交換レンズ１００は、上記の基本的な構成の他、たとえば、手ブレ補正機構等を備えることができる。
【０１２７】
《カメラと交換レンズと電気的な接続》
図９は、カメラと交換レンズとの電気的な接続を示す図である。
【０１２８】
同図に示すように、カメラ１０及び交換レンズ１００は、カメラ側マウント１４に備えられたカメラ側端子群ＣＣＧと、レンズ側マウント１０４に備えられたレンズ側端子群ＬＣＧを介して電気的に接続される。
【０１２９】
なお、図９において、矢印Ｒで示す方向が、カメラ１０に交換レンズ１００を装着する場合の交換レンズ１００の回転方向である。したがって、カメラ１０に交換レンズ１００を装着する場合、カメラ側端子群ＣＣＧに対して、レンズ側端子群ＬＣＧは、図９中の矢印Ｒで示す方向に移動する。
【０１３０】
〈カメラ側端子群〉
カメラ側端子群ＣＣＧは、１２個の端子ＣＣ１〜ＣＣ１２で構成される。各端子ＣＣ１〜ＣＣ１２は、同一形状を有し、同一の円周上に一定の間隔で配置される。
【０１３１】
（Ａ）第１の端子ＣＣ１
第１の端子ＣＣ１は、交換レンズ１００の装着を検出するためのレンズ検出端子である。第１の端子ＣＣ１は、カメラマイコン３４のレンズ検出用ポートＣＰ０に接続される。また、第１の端子ＣＣ１は、プルアップ抵抗ＣＲ１を介して電源供給部４２（図５参照）に接続され、所定の電位（たとえば、＋３．３Ｖ）にプルアップされる。
【０１３２】
（Ｂ）第２の端子ＣＣ２〜第４の端子ＣＣ４
第２の端子ＣＣ２、第３の端子ＣＣ３及び第４の端子ＣＣ４は、交換レンズ１００に複数のレンズ駆動用電源ＬＶ１、ＬＶ２、ＬＶ３を供給するための複数の電源端子である。
【０１３３】
ここで、第２の端子ＣＣ２は、交換レンズに第１のレンズ駆動用電源ＬＶ１を供給するための第１の電源端子である。第２の端子ＣＣ２は、レンズ駆動用電源スイッチ部４４を介して電源供給部４２に接続される（図５参照）。第２の端子ＣＣ２には、電源供給部４２から最も低い電圧の第１のレンズ駆動用電源ＬＶ１が供給される。レンズ駆動用電源スイッチ部４４は、カメラマイコン３４からの指示に応じて、第２の端子ＣＣ２への第１のレンズ駆動用電源ＬＶ１の供給をオンオフする。
【０１３４】
また、第３の端子ＣＣ３は、交換レンズに第２のレンズ駆動用電源ＬＶ２を供給するための第２の電源端子である。第３の端子ＣＣ３は、レンズ駆動用電源スイッチ部４４を介して電源供給部４２に接続される（図５参照）。第３の端子ＣＣ３には、電源供給部４２から第２のレンズ駆動用電源ＬＶ２が供給される。レンズ駆動用電源スイッチ部４４は、カメラマイコン３４からの指示に応じて、第３の端子ＣＣ３への第２のレンズ駆動用電源ＬＶ２の供給をオンオフする。
【０１３５】
また、第４の端子ＣＣ４は、交換レンズに第３のレンズ駆動用電源ＬＶ３を供給するための第３の電源端子である。第４の端子ＣＣ４は、レンズ駆動用電源スイッチ部４４を介して電源供給部４２に接続される（図５参照）。第４の端子ＣＣ４には、電源供給部４２から最も高い電圧の第３のレンズ駆動用電源ＬＶ３が供給される。レンズ駆動用電源スイッチ部４４は、カメラマイコン３４からの指示に応じて、第４の端子ＣＣ４への第３のレンズ駆動用電源ＬＶ３の供給をオンオフする。
【０１３６】
（Ｃ）第５の端子ＣＣ５及び第６の端子ＣＣ６
第５の端子ＣＣ５及び第６の端子ＣＣ６は、それぞれグランド端子であり、共に接地される。
【０１３７】
（Ｄ）第７の端子ＣＣ７〜第１２の端子ＣＣ１２
第７の端子ＣＣ７〜第１２の端子ＣＣ１２は、交換レンズ１００との間で通信するための通信端子である。
【０１３８】
ここで、第７の端子ＣＣ７は、交換レンズ１００からカメラ１０に状態を通知するための通信端子である。第７の端子ＣＣ７は、カメラマイコン３４の第１の通信用ポートＣＰ１に接続される。上記のように、カメラマイコン３４の第１の通信用ポートＣＰ１は、交換レンズ１００の所定の機能が動作中であることを通知するために使用される。
【０１３９】
第８の端子ＣＣ８は、カメラ１０から交換レンズ１００にＶＳＹＮＣ信号を送信するための通信端子である。第８の端子ＣＣ８は、カメラマイコン３４の第２の通信用ポートＣＰ２に接続される。
【０１４０】
第９の端子ＣＣ９、第１０の端子ＣＣ１０及び第１１の端子ＣＣ１１は、それぞれ交換レンズ１００との間で３線式シリアル通信を行うための通信端子である。第９の端子ＣＣ９は、カメラマイコン３４の第３の通信用ポートＣＰ３（ＭＯＳＩポート）に接続される。第１０の端子ＣＣ１０は、カメラマイコン３４の第４の通信用ポートＣＰ４（ＳＣＫポート）に接続される。第１１の端子ＣＣ１１は、カメラマイコン３４の第５の通信用ポートＣＰ５（ＭＩＳＯポート）に接続される。
【０１４１】
ここで、上記のように、カメラマイコン３４の第５の通信用ポートＣＰ５は、オープンドレイン出力が可能なポートで構成される。したがって、カメラマイコン３４の第５の通信用ポートＣＰ５（ＭＩＳＯポート）に接続される第１１の端子ＣＣ１１は、オープンドレイン出力が可能な端子として構成される。第１１の端子ＣＣ１１は、カメラ側通信端子の一例であり、この第１１の端子ＣＣ１１の極性に基づいて、カメラ１０に装着された交換レンズ１００が特定の機能に対応しているか否かが判定される。この点については、後に詳述する。
【０１４２】
また、第９の端子ＣＣ９、第１０の端子ＣＣ１０及び第１１の端子ＣＣ１１は、カメラ１０及び交換レンズ１００がシリアル通信する際に使用する複数の端子の一例である。
【０１４３】
第１２の端子ＣＣ１２は、カメラ側拡張通信端子の一例である。第１２の端子ＣＣ１２は、交換レンズ１００との間で単線式シリアル通信を行うための端子であり、かつ、第１２の端子ＣＣ１２は、交換レンズ１００からカメラ１０に状態を通知するための端子である。第１２の端子ＣＣ１２は、カメラマイコン３４の第６の通信用ポートＣＰ６及び第７の通信用ポートＣＰ７に接続される。
【０１４４】
カメラ側端子群ＣＣＧを構成する複数の端子ＣＣ１〜ＣＣ１２は、カメラ１０に交換レンズ１００を装着する場合の交換レンズ１００の回転方向Ｒに対して、第１の端子ＣＣ１、第２の端子ＣＣ２、…、第１１の端子ＣＣ１１、第１２の端子ＣＣ１２の順で配置される。したがって、カメラ側端子群ＣＣＧは、レンズ検出端子（第１の端子ＣＣ１）、複数の電源端子（第２の端子ＣＣ２〜第４の端子ＣＣ４）、複数のグランド端子（第５の端子ＣＣ５及び第６の端子ＣＣ６）、複数の通信端子（第７の端子ＣＣ７〜第１２の端子ＣＣ１２）の順で配置される。
【０１４５】
〈レンズ側端子群〉
レンズ側端子群ＬＣＧは、カメラ側端子群ＣＣＧに対応している。したがって、カメラ側端子群ＣＣＧを構成する端子と同じ数の端子で構成され、かつ、各端子ＬＣ１〜ＬＣ１２は、カメラ側端子群ＣＣＧを構成する端子ＣＣ１〜ＣＣ１２と同じ間隔で配置される。
【０１４６】
（Ａ）第１の端子ＬＣ１
第１の端子ＬＣ１は、カメラ側のレンズ検出端子（第１の端子ＣＣ１）に対応したレンズ検出端子である。したがって、交換レンズ１００をカメラ１０に装着すると、第１の端子ＬＣ１は、カメラ側の第１の端子ＣＣ１に接続される。第１の端子ＬＣ１は、プルダウン抵抗ＬＲ１を介して接地され、グランドの電位にプルダウンされる。
【０１４７】
（Ｂ）第２の端子ＬＣ２、第３の端子ＬＣ３及び第４の端子ＬＣ４
第２の端子ＬＣ２、第３の端子ＬＣ３及び第４の端子ＬＣ４は、カメラ側の複数の電源端子（第２の端子ＣＣ２、第３の端子ＣＣ３及び第４の端子ＣＣ４）に対応した複数の電源端子である。したがって、交換レンズ１００をカメラ１０に装着すると、第２の端子ＬＣ２は、カメラ側の第２の端子ＣＣ２に接続され、第３の端子ＬＣ３は、カメラ側の第３の端子ＣＣ３に接続される。また、第４の端子ＬＣ４はカメラ側の第４の端子ＣＣ４に接続される。
【０１４８】
上記のように、カメラ側の第２の端子ＣＣ２は、電圧の最も低い第１のレンズ駆動用電源ＬＶ１（＋５Ｖ）を供給するための第１の電源端子である。したがって、交換レンズ１００をカメラ１０に装着すると、第２の端子ＬＣ２には、最も低い電圧の第１のレンズ駆動用電源ＬＶ１が供給される。
【０１４９】
この第２の端子ＬＣ２には、交換レンズ内において、レンズ側システム電源生成部１１２が接続される。レンズ側システム電源生成部１１２は、第２の端子ＬＣ２から供給される第１のレンズ駆動用電源ＬＶ１（＋５Ｖ）を使用して、システム電源（＋３．３Ｖ）を生成し、レンズマイコン１１４に供給する。
【０１５０】
また、カメラ側の第３の端子ＣＣ３は、第２のレンズ駆動用電源ＬＶ２（＋６．５Ｖ）を供給するための第２の電源端子である。したがって、交換レンズ１００をカメラ１０に装着すると、第３の端子ＬＣ３には、第２のレンズ駆動用電源ＬＶ２が供給される。
【０１５１】
また、カメラ側の第４の端子ＣＣ４は、最も高い電圧のレンズ駆動用電源ＬＶ３（＋１０Ｖ）を供給するための第３の電源端子である。したがって、交換レンズ１００をカメラ１０に装着すると、カメラ側の第４の端子ＣＣ４に最も高い電圧の第３のレンズ駆動用電源ＬＶ３が供給される。
【０１５２】
（Ｃ）第５の端子ＬＣ５及び第６の端子ＬＣ６
第５の端子ＬＣ５及び第６の端子ＬＣ６は、それぞれカメラ側の二つグランド端子（第５の端子ＣＣ５及び第６の端子ＣＣ６）に対応した二つのグランド端子である。したがって、交換レンズ１００をカメラ１０に装着すると、第５の端子ＬＣ５がカメラ側の第５の端子ＣＣ５に接続され、第６の端子ＬＣ６がカメラ側の第６の端子ＣＣ６に接続される。
【０１５３】
（Ｄ）第７の端子ＬＣ７〜第１２の端子ＬＣ１２
第７の端子ＬＣ７〜第１２の端子ＬＣ１２は、カメラ側の複数の通信端子（第７の端子ＣＣ７〜第１２の端子ＣＣ１２）に対応した複数の通信端子である。したがって、交換レンズ１００をカメラ１０に装着すると、第７の端子ＬＣ７がカメラ側の第７の端子ＣＣ７に接続され、第８の端子ＬＣ８がカメラ側の第８の端子ＣＣ８に接続される。また、第９の端子ＬＣ９がカメラ側の第９の端子ＣＣ９に接続され、第１０の端子ＬＣ１０がカメラ側の第１０の端子ＣＣ１０に接続される。更に、第１１の端子ＬＣ１１がカメラ側の第１１の端子ＣＣ１１に接続され、第１２の端子ＬＣ１２がカメラ側の第１２の端子ＣＣ１２に接続される。
【０１５４】
上記のように、カメラ側の第７の端子ＣＣ７は、交換レンズ１００からカメラ１０に状態を通知するための通信端子である。したがって、第７の端子ＬＣ７も交換レンズ１００からカメラ１０に状態を通知するための通信端子として使用される。第７の端子ＬＣ７は、レンズマイコン１１４の第１の通信用ポートＬＰ１に接続される。
【０１５５】
また、カメラ側の第８の端子ＣＣ８は、カメラ１０から交換レンズ１００にＶＳＹＮＣ信号を送信するための通信端子である。したがって、第８の端子ＬＣ８は、カメラ側から送信されたＶＳＹＮＣ信号を受信するための通信端子として使用される。第８の端子ＬＣ８は、レンズマイコン１１４の第２の通信用ポートＬＰ２に接続される。
【０１５６】
また、カメラ側の第９の端子ＣＣ９、第１０の端子ＣＣ１０及び第１１の端子ＣＣ１１は、それぞれ交換レンズ１００との間で３線式シリアル通信を行うための通信端子である。したがって、第９の端子ＬＣ９、第１０の端子ＬＣ１０及び第１１の端子ＬＣ１１もカメラ１０との間で３線式シリアル通信を行うための通信端子として使用される。第９の端子ＬＣ９は、レンズマイコン１１４の第３の通信用ポートＬＰ３に接続される。第１０の端子ＬＣ１０は、レンズマイコン１１４の第４の通信用ポートＬＰ４に接続される。第１１の端子ＬＣ１１は、レンズマイコン１１４の第５の通信用ポートＬＰ５に接続される。
【０１５７】
ここで、上記のように、レンズマイコン１１４の第５の通信用ポートＬＰ５は、オープンドレイン出力が可能なポートで構成される。したがって、レンズマイコン１１４の第５の通信用ポートＬＰ５（ＭＩＳＯポート）に接続される第１１の端子ＬＣ１１は、オープンドレイン出力が可能な端子として構成される。第１１の端子ＬＣ１１は、レンズ側通信端子の一例であり、この第１１の端子ＬＣ１１の極性に基づいて、装着先のカメラ１０が特定の機能に対応しているか否かが判定される。この点については、後に詳述する。
【０１５８】
また、第９の端子ＬＣ９、第１０の端子ＬＣ１０及び第１１の端子ＬＣ１１は、カメラ１０及び交換レンズ１００がシリアル通信する際に使用する複数の端子の一例である。
【０１５９】
また、カメラ側の第１２の端子ＣＣ１２は、交換レンズ１００との間で単線式シリアル通信を行うための端子であり、かつ、交換レンズ１００からカメラ１０に状態を通知するための端子である。したがって、第１２の端子ＬＣ１２もカメラ１０との間で単線式シリアル通信を行うための端子、及び、カメラ１０に状態を通知するための端子として機能する。第１２の端子ＬＣ１２は、レンズマイコン１１４の第６の通信用ポートＬＰ６及び第７の通信用ポートＬＰ７に接続される。第１２の端子ＬＣ１２は、レンズ側拡張通信端子の一例である。
【０１６０】
なお、図９に示すように、通信端子を構成する複数の端子（第７の端子ＬＣ７〜第１２の端子ＬＣ１２）のうち第７の端子ＬＣ７、第８の端子ＬＣ８及び第１２の端子ＬＣ１２は、それぞれプルアップ抵抗ＬＲ７、ＬＲ８、ＬＲ１２を介してレンズ側システム電源生成部１１２に接続され、レンズ側システム電源生成部１１２から供給されるシステム電源の電位（たとえば、＋３．３Ｖ）にプルアップされる。
【０１６１】
また、通信端子を構成する複数の端子（第７の端子ＬＣ７〜第１２の端子ＬＣ１２）のうち第９の端子ＬＣ９は、プルダウン抵抗ＬＲ９を介して接地され、グランドの電位にプルダウンされる。
【０１６２】
レンズ側端子群ＬＣＧを構成する複数の端子ＬＣ１〜ＬＣ１２もカメラ側端子群ＣＣＧを構成する複数の端子ＣＣ１〜ＣＣ１２と同じ並びで配置される。すなわち、カメラ１０に交換レンズ１００を装着する場合の交換レンズ１００の回転方向Ｒに対して、第１の端子ＬＣ１、第２の端子ＬＣ２、…、第１１の端子ＬＣ１１、第１２の端子ＬＣ１２の順で配置される。したがって、レンズ側端子群ＬＣＧもレンズ検出端子（第１の端子ＬＣ１）、複数の電源端子（第２の端子ＬＣ２〜第４の端子ＬＣ４）、複数のグランド端子（第５の端子ＬＣ５及び第６の端子ＬＣ６）、複数の通信端子（第７の端子ＬＣ７〜第１２の端子ＬＣ１２）の順で配置される。
【０１６３】
《互換性判定に係わる機能》
図１０は、カメラ及び交換レンズに備えられた互換性判定に係わる機能のブロック図である。
【０１６４】
〈カメラ側に備えられる互換性判定機能〉
上記のように、カメラ１０は、第１１の端子ＣＣ１１が、カメラ側通信端子として機能し、この第１１の端子ＣＣ１１の極性に基づいて、カメラ１０に装着された交換レンズ１００が、特定の機能に対応しているか否かが判定される。
【０１６５】
なお、判定対象とする機能は、あらかじめ定められる。一例として、本実施の形態のカメラシステム１では、カメラ側拡張通信端子（第１２の端子ＣＣ１２）及びレンズ側拡張通信端子（第１２の端子ＬＣ１２）を使用して、交換レンズ１００からカメラ１０にレンズ情報を送信する機能が判定対象とされる。カメラ１０及び交換レンズ１００の双方が当該機能に対応している場合、カメラ側拡張通信端子（第１２の端子ＣＣ１２）及びレンズ側拡張通信端子（第１２の端子ＬＣ１２）を使用して、交換レンズ１００からカメラ１０に単線式シリアル通信でレンズ情報が送信される。カメラ１０は、送信されたレンズ情報を受信して、装着された交換レンズ１００のレンズ情報を取得する。この点については、後に詳述する。
【０１６６】
第１１の端子ＣＣ１１は、カメラマイコン３４の第５の通信用ポートＣＰ５（ＭＩＳＯポート）に接続される。上記のように、この第５の通信用ポートＣＰ５は、オープンドレイン出力が可能なポートである。
【０１６７】
カメラマイコン３４は、この第５の通信用ポートＣＰ５の極性を第１極性であるＨＩＧＨレベル又は第２極性であるＬＯＷレベルに設定する機能を有する。この機能は、カメラ側通信端子極性設定部７０によって提供される。カメラマイコン３４は、所定のプログラムを実行することにより、カメラ側通信端子極性設定部７０として機能する。カメラ側通信端子極性設定部７０は、カメラ１０が、特定の機能に対応している場合、第５の通信用ポートＣＰ５の極性を第１極性であるＨＩＧＨレベルに設定する。一方、カメラ１０が特定の機能に対応していない場合、第５の通信用ポートＣＰ５の極性を第２極性であるＬＯＷレベルに設定する。
【０１６８】
カメラマイコン３４の第５の通信用ポートＣＰ５が、ＨＩＧＨレベル（第１極性）に設定されることにより、第１１の端子ＣＣ１１がＨＩＧＨレベル（第１極性）に設定される。また、カメラマイコン３４の第５の通信用ポートＣＰ５が、ＬＯＷレベル（第２極性）に設定されることにより、第１１の端子ＣＣ１１がＬＯＷレベル（第２極性）に設定される。
【０１６９】
また、カメラマイコン３４は、第５の通信用ポートＣＰ５の極性を検出し、検出した極性に基づいて、カメラ１０に装着された交換レンズ１００が特定の機能に対応しているか否かを判定する機能を有する。この機能は、カメラ側判定部７２によって提供される。カメラマイコン３４は、所定のプログラムを実行することにより、カメラ側判定部７２として機能する。カメラ側判定部７２は、第５の通信用ポートＣＰ５の極性を検出し、検出した極性がＨＩＧＨレベル（第１極性）の場合にのみ、カメラ１０に装着された交換レンズ１００が特定の機能に対応していると判定する。
【０１７０】
なお、第１１の端子ＣＣ１１がＨＩＧＨレベル（第１極性）に設定されることにより、カメラマイコン３４の第５の通信用ポートＣＰ５がＨＩＧＨレベル（第１極性）に設定される。また、第１１の端子ＣＣ１１がＬＯＷレベル（第２極性）に設定されることにより、カメラマイコン３４の第５の通信用ポートＣＰ５がＬＯＷレベル（第２極性）に設定される。
【０１７１】
〈交換レンズ側に備えられる互換性判定機能〉
上記のように、交換レンズ１００は、第１１の端子ＬＣ１１が、レンズ側通信端子として機能し、この第１１の端子ＬＣ１１の極性に基づいて、装着先のカメラ１０が、特定の機能に対応しているか否かが判定される。
【０１７２】
第１１の端子ＬＣ１１は、レンズマイコン１１４の第５の通信用ポートＬＰ５（ＭＩＳＯポート）に接続される。上記のように、この第５の通信用ポートＬＰ５は、オープンドレイン出力が可能なポートである。
【０１７３】
レンズマイコン１１４は、この第５の通信用ポートＬＰ５の極性を第１極性であるＨＩＧＨレベル又は第２極性であるＬＯＷレベルに設定する機能を有する。この機能は、レンズ側通信端子極性設定部１３０によって提供される。レンズマイコン１１４は、所定のプログラムを実行することにより、レンズ側通信端子極性設定部１３０として機能する。レンズ側通信端子極性設定部１３０は、交換レンズ１００が、特定の機能に対応している場合、第５の通信用ポートＬＰ５の極性を第１極性であるＨＩＧＨレベルに設定する。一方、交換レンズ１００が特定の機能に対応していない場合、第５の通信用ポートＬＰ５の極性を第２極性であるＬＯＷレベルに設定する。
【０１７４】
レンズマイコン１１４の第５の通信用ポートＬＰ５が、ＨＩＧＨレベル（第１極性）に設定されることにより、第１１の端子ＬＣ１１がＨＩＧＨレベル（第１極性）に設定される。また、レンズマイコン１１４の第５の通信用ポートＬＰ５が、ＬＯＷレベル（第２極性）に設定されることにより、第１１の端子ＬＣ１１がＬＯＷレベル（第２極性）に設定される。
【０１７５】
また、レンズマイコン１１４は、第５の通信用ポートＬＰ５の極性を検出し、検出した極性に基づいて、装着先のカメラ１０が特定の機能に対応しているか否かを判定する機能を有する。この機能は、レンズ側判定部１３２によって提供される。レンズマイコン１１４は、所定のプログラムを実行することにより、レンズ側判定部１３２として機能する。レンズ側判定部１３２は、第５の通信用ポートＬＰ５の極性を検出し、検出した極性がＨＩＧＨレベル（第１極性）の場合にのみ、装着先のカメラ１０が特定の機能に対応していると判定する。
【０１７６】
なお、第１１の端子ＬＣ１１がＨＩＧＨレベル（第１極性）に設定されることにより、レンズマイコン１１４の第５の通信用ポートＬＰ５がＨＩＧＨレベル（第１極性）に設定される。また、第１１の端子ＬＣ１１がＬＯＷレベル（第２極性）に設定されることにより、レンズマイコン１１４の第５の通信用ポートＬＰ５がＬＯＷレベル（第２極性）に設定される。
【０１７７】
〈カメラ側通信端子及びレンズ側通信端子の極性〉
交換レンズ１００をカメラ１０に装着すると、カメラ側通信端子であるカメラ側の第１１の端子ＣＣ１１と、レンズ側通信端子である交換レンズ側の第１１の端子ＬＣ１１とが接続される。この結果、カメラマイコン３４の第５の通信用ポートＣＰ５とレンズマイコン１１４の第５の通信用ポートＬＰ５とが接続される。
【０１７８】
ここで、上記のように、カメラマイコン３４の第５の通信用ポートＣＰ５及びレンズマイコン１１４の第５の通信用ポートＬＰ５は、オープンドレイン出力が可能であり、それぞれＨＩＧＨレベル（第１極性）又はＬＯＷレベル（第２極性）に設定されると、極性が次のように設定される。すなわち、両方ともＨＩＧＨレベル（第１極性）に設定された場合にのみ、両方ともＨＩＧＨレベル（第１極性）になり、少なくとも一方がＬＯＷレベル（第２極性）に設定されると、両方ともＬＯＷレベル（第２極性）になる。したがって、出力設定後のカメラマイコン３４の第５の通信用ポートＣＰ５及びレンズマイコン１１４の第５の通信用ポートＬＰ５の極性を検出すれば、カメラ１０及び交換レンズ１００の双方が特定の機能に対応しているか否か、すなわち、互換性を有するか否かを判定できる。
【０１７９】
カメラ側判定部７２は、出力設定後の第５の通信用ポートＣＰ５の極性（＝第１１の端子ＣＣ１１の極性）を検出し、検出した極性がＨＩＧＨレベル（第１極性）の場合にのみ、装着された交換レンズ１００が特定の機能に対応していると判定する。すなわち、互換性のある交換レンズ１００であると判定する。
【０１８０】
同様にレンズ側判定部１３２は、出力設定後の第５の通信用ポートＬＰ５の極性（＝第１１の端子ＬＣ１１の極性）を検出し、検出した極性がＨＩＧＨレベル（第１極性）の場合にのみ、装着先のカメラ１０が特定の機能に対応していると判定する。すなわち、互換性のあるカメラ１０であると判定する。
【０１８１】
図１１は、特定の機能への対応状況に応じたカメラ側通信端子及びレンズ側通信端子の出力設定と検出される極性との関係を示す表である。
【０１８２】
同図に示すように、カメラ１０及び交換レンズ１００は、特定の機能に対応している場合、そのカメラ側通信端子（第１１の端子ＣＣ１１）及びレンズ側通信端子（第１１の端子ＬＣ１１）の出力設定がＨＩＧＨレベル（第１極性）に設定される。一方、特定の機能に対応していない場合、そのカメラ側通信端子（第１１の端子ＣＣ１１）及びレンズ側通信端子（第１１の端子ＬＣ１１）の出力設定がＬＯＷレベル（第２極性）に設定される。
【０１８３】
また、出力設定後のカメラ側通信端子（第１１の端子ＣＣ１１）及びレンズ側通信端子（第１１の端子ＬＣ１１）は、両方ともＨＩＧＨレベル（第１極性）に設定された場合にのみ、両方ともＨＩＧＨレベル（第１極性）になり、少なくとも一方がＬＯＷレベル（第２極性）に設定された場合は、両方ともＬＯＷレベル（第２極性）になる。
【０１８４】
このように、本実施の形態のカメラシステム１では、カメラ側通信端子及びレンズ側通信端子の極性を検出すれば、カメラ１０と交換レンズ１００の相互で互換性の有無を判定できる。
【０１８５】
［カメラシステムの作用］
《交換レンズの装着》
交換レンズ１００に備えられたレンズ側マウント１０４をカメラ１０に備えられたカメラ側マウント１４に装着することにより、交換レンズ１００がカメラ１０に装着される。この際、カメラ１０に対して交換レンズ１００を回転させて装着する。
【０１８６】
交換レンズ１００をカメラ１０に装着することにより、レンズ側マウント１０４に備えられたレンズ側端子群ＬＣＧがカメラ側マウント１４に備えられたカメラ側端子群ＣＣＧに接続される。
【０１８７】
交換レンズ１００をカメラ１０に装着する際、レンズ側端子群ＬＣＧは、回転方向に沿ってレンズ検出端子（第１の端子ＬＣ１）、複数の電源端子（第２の端子ＬＣ２〜第４の端子ＬＣ４）、複数のグランド端子（第５の端子ＬＣ５及び第６の端子ＬＣ６）、複数の通信端子（第７の端子ＬＣ７〜第１２の端子ＬＣ１２）の順で配置されるので、電源端子（第２の端子ＬＣ２〜第４の端子ＬＣ４）をより多くカメラ側端子群ＣＣＧの端子に接触させることができる。これにより、レンズ側端子群ＬＣＧの複数の電源端子（第２の端子ＬＣ２〜第４の端子ＬＣ４）のセルフクリーニング効果を向上できる。この結果、レンズ側端子群ＬＣＧの複数の電源端子（第２の端子ＬＣ２〜第４の端子ＬＣ４）の接触抵抗を低減でき、効率よく電源を供給できる。
【０１８８】
《交換レンズの装着の検出》
カメラマイコン３４は、カメラ側端子群ＣＣＧの第１の端子（レンズ検出端子）ＣＣ１の極性に基づいて、交換レンズ１００の装着の有無を検出する。
【０１８９】
交換レンズ１００が装着されていない場合、カメラ側の第１の端子ＣＣ１は、プルアップ抵抗ＣＲ１によってプルアップされる結果、ＨＩＧＨレベル（高電位）となる。
【０１９０】
一方、交換レンズ１００がカメラ１０に装着されると、図９に示すように、カメラ側の第１の端子ＣＣ１には、交換レンズ側の第１の端子（レンズ検出端子）ＬＣ１が接続される。交換レンズ側の第１の端子ＬＣ１は、接地されているため、交換レンズ側の第１の端子ＬＣ１が、カメラ側の第１の端子ＣＣ１に接続されると、カメラ側の第１の端子ＣＣ１は、ＬＯＷレベル（低電位）となる。
【０１９１】
カメラマイコン３４は、カメラ側の第１の端子ＣＣ１に接続されたレンズ検出用ポートＣＰ０の極性（ＨＩＧＨレベル又はＬＯＷレベル）に基づいて、交換レンズ１００の装着の有無を検出する。すなわち、レンズ検出用ポートＣＰ０の電位がＨＩＧＨレベルの場合は、交換レンズ１００が装着されていない、と判定し、レンズ検出用ポートＣＰ０の電位がＬＯＷレベルの場合は、交換レンズ１００が装着されている、と判別して、交換レンズ１００の装着の有無を検出する。
【０１９２】
なお、レンズ検出端子である第１の端子ＣＣ１は、交換レンズ１００をカメラ１０に装着する場合の交換レンズ１００の回転方向Ｒの先頭に配置される。これにより、交換レンズ１００を着脱する際、カメラ側の第１の端子ＣＣ１に交換レンズ側の第１の端子ＬＣ１以外の端子が接触するのを防止できる。これにより、誤検出を防止できる。
【０１９３】
《レンズマイコンの起動》
カメラマイコン３４は、交換レンズ１００の装着を検出すると、電源供給部４２にレンズ駆動用電源の供給を開始させる。すなわち、カメラ側の複数の電源端子（第２の端子ＣＣ２、第３の端子ＣＣ３及び第４の端子ＣＣ４）にレンズ駆動用電源ＬＶ１、ＬＶ２、ＬＶ３が供給されるように、電源供給部４２及びレンズ駆動用電源スイッチ部４４を制御する。これにより、カメラ側の複数の電源端子（第２の端子ＣＣ２、第３の端子ＣＣ３及び第４の端子ＣＣ４）のそれぞれにレンズ駆動用電源ＬＶ１、ＬＶ２、ＬＶ３が供給される。
【０１９４】
また、カメラ側の複数の電源端子（第２の端子ＣＣ２、第３の端子ＣＣ３及び第４の端子ＣＣ４）にレンズ駆動用電源ＬＶ１、ＬＶ２、ＬＶ３が供給されると、そのカメラ側の複数の電源端子（第２の端子ＣＣ２、第３の端子ＣＣ３及び第４の端子ＣＣ４）に接続された交換レンズ側の複数の電源端子（第２の端子ＬＣ２、第３の端子ＬＣ３及び第４の端子ＬＣ４）を介して、交換レンズ１００にレンズ駆動用電源ＬＶ１、ＬＶ２、ＬＶ３が供給される。
【０１９５】
交換レンズ１００にレンズ駆動用電源ＬＶ１、ＬＶ２、ＬＶ３が供給されると、そのうちの一つを使用して、レンズマイコン１１４のシステム電源が生成される。レンズマイコン１１４のシステム電源は、レンズ側システム電源生成部１１２で生成される。レンズ側システム電源生成部１１２は、カメラ側から供給された複数のレンズ駆動用電源ＬＶ１、ＬＶ２、ＬＶ３のうち最も低い電圧の第１のレンズ駆動用電源ＬＶ１（＋５Ｖ）を使用して、システム電源（＋３．３Ｖ）を生成し、レンズマイコン１１４に供給する。
【０１９６】
システム電源がレンズマイコン１１４に正常に供給されることにより、レンズマイコン１１４が起動する。
【０１９７】
《レンズマイコンにシステム電源が正常に供給されたことの検出》
カメラマイコン３４は、カメラ側端子群ＣＣＧの特定の端子の極性に基づいて、レンズマイコン１１４にシステム電源が正常に供給されたことを検出する。ここでの特定の端子とは、交換レンズ側において、プルアップ抵抗が接続された端子と接続される端子である。
【０１９８】
交換レンズ側において、プルアップ抵抗ＬＲ７、ＬＲ８、ＬＲ１２が接続された端子は、第７の端子ＬＣ７、第８の端子ＬＣ８及び第１２の端子ＬＣ１２である。そして、これらの端子に接続されるカメラ側の端子は、第７の端子ＣＣ７、第８の端子ＣＣ８及び第１２の端子ＣＣ１２である。
【０１９９】
カメラマイコン３４は、カメラ側端子群ＣＣＧの第７の端子ＣＣ７に接続される第１の通信用ポートＣＰ１、カメラ側端子群ＣＣＧの第８の端子ＣＣ８に接続される第２の通信用ポートＣＰ２、及び、カメラ側端子群ＣＣＧの第１２の端子ＣＣ１２に接続される第６の通信用ポートＣＰ６の極性（ＨＩＧＨレベル又はＬＯＷレベル）を判別して、レンズマイコン１１４にシステム電源が正常に供給されたことを検出する。具体的には、第１の通信用ポートＣＰ１、第２の通信用ポートＣＰ２及び第６の通信用ポートＣＰ６の極性がＨＩＧＨレベルであることを検出すると、レンズマイコン１１４にシステム電源が正常に供給された、と判定する。これにより、交換レンズ側でレンズマイコン１１４のシステム電源を生成する場合であっても、レンズマイコン１１４にシステム電源が正常に供給されたことをカメラ側で適切に検知できる。特に、本実施の形態のカメラシステム１のように、複数の端子の極性を判別することにより、より正確に検知できる。
【０２００】
なお、レンズマイコン１１４に正常にシステム電源が供給され、レンズマイコン１１４が正常に起動すると、レンズマイコン１１４は、第１の通信用ポートＬＰ１の極性をＬＯＷレベルに切り換える。この結果、交換レンズ側の第７の端子ＬＣ７及びカメラ側の第７の端子ＣＣ７の極性が、ＨＩＧＨレベルからＬＯＷレベルに切り換えられる。カメラマイコン３４は、第７の端子ＣＣ７がＬＯＷレベルに切り換えられたことを検出して、レンズマイコン１１４が起動したことを検出する。すなわち、レンズマイコン１１４は、第１の通信用ポートＬＰ１の極性をＬＯＷレベルに切り換えることにより、正常に起動したことをカメラマイコン３４に通知する。レンズマイコン１１４は、起動から一定時間経過後に、第１の通信用ポートＬＰ１の極性をＬＯＷレベルに切り換える。
【０２０１】
《交換レンズが正規品であるか否かの判別》
カメラマイコン３４は、カメラ側端子群ＣＣＧの特定の端子の極性に基づいて、装着された交換レンズ１００が正規の交換レンズであるか否かを判別する。ここでの特定の端子とは、交換レンズ側において、プルアップ抵抗ＬＲ７、ＬＲ８、ＬＲ１２が接続された端子と接続される端子、及び、プルダウン抵抗ＬＲ９が接続された端子である。
【０２０２】
交換レンズ側において、プルアップ抵抗ＬＲ７、ＬＲ８、ＬＲ１２が接続された端子は、第７の端子ＬＣ７、第８の端子ＬＣ８及び第１２の端子ＬＣ１２である。そして、これらの端子に接続されるカメラ側の端子は、第７の端子ＣＣ７、第８の端子ＣＣ８及び第１２の端子ＣＣ１２である。
【０２０３】
また、交換レンズ側において、プルダウン抵抗ＬＲ９が接続された端子は、第９の端子ＬＣ９である。そして、この端子に接続されるカメラ側の端子は、第９の端子ＣＣ９である。
【０２０４】
カメラマイコン３４は、カメラ側端子群ＣＣＧの第７の端子ＣＣ７に接続される第１の通信用ポートＣＰ１、カメラ側端子群ＣＣＧの第８の端子ＣＣ８に接続される第２の通信用ポートＣＰ２、カメラ側端子群ＣＣＧの第９の端子ＣＣ９に接続される第３の通信用ポートＣＰ３、及び、カメラ側端子群ＣＣＧの第１２の端子ＣＣ１２に接続される第６の通信用ポートＣＰ６の極性（ＨＩＧＨレベル又はＬＯＷレベル）を判別して、装着された交換レンズ１００が正規の交換レンズか否かを判別する。具体的には、第１の通信用ポートＣＰ１、第２の通信用ポートＣＰ２及び第６の通信用ポートＣＰ６の極性がＨＩＧＨレベルであること、及び、第３の通信用ポートＣＰ３の極性がＬＯＷレベルであることを検出すると、装着された交換レンズ１００が正規の交換レンズである、と判別する。
【０２０５】
このように、交換レンズ１００の装着時に特定の端子の極性を判別することで、装着された交換レンズ１００が正規の交換レンズか否かを容易に判別できる。
【０２０６】
《互換性の判定》
カメラ１０に交換レンズ１００が装着されると、カメラ１０及び交換レンズ１００の双方で互換性の有無が判定される。すなわち、カメラ１０及び交換レンズ１００の双方で相手先が特定の機能に対応しているか否かが判定される。上記のように、本実施の形態のカメラシステム１では、カメラ側拡張通信端子（第１２の端子ＣＣ１２）及びレンズ側拡張通信端子（第１２の端子ＬＣ１２）を使用して、交換レンズ１００からカメラ１０にレンズ情報を送信する機能が判定対象の機能とされ、当該機能への対応の有無が判定される。以下、この判定対象とされる特定の機能をレンズ情報取得機能と称する。判定は、次の手順で行われる。
【０２０７】
〈カメラ側での極性の設定〉
カメラ側通信端子極性設定部７０として機能するカメラマイコン３４は、交換レンズ１００に対してレンズ駆動用電源の供給を開始するタイミングで第５の通信用ポートＣＰ５の極性を設定する。
【０２０８】
ここで、カメラマイコン３４は、カメラ１０がレンズ情報取得機能に対応している場合、第５の通信用ポートＣＰ５の極性を第１極性であるＨＩＧＨレベルに設定する。一方、カメラ１０がレンズ情報取得機能に対応していない場合、カメラマイコン３４は、第５の通信用ポートＣＰ５の極性を第２極性であるＬＯＷレベルに設定する。
【０２０９】
第５の通信用ポートＣＰ５の極性がＨＩＧＨレベル（第１極性）に設定されることにより、カメラ側通信端子である第１１の端子ＣＣ１１がＨＩＧＨレベル（第１極性）に設定される。また、第５の通信用ポートＣＰ５の極性がＬＯＷレベル（第２極性）に設定されることにより、第１１の端子ＣＣ１１がＬＯＷレベル（第２極性）に設定される。
【０２１０】
〈レンズ側での極性の設定〉
レンズ側通信端子極性設定部１３０として機能するレンズマイコン１１４は、その起動のタイミングで第５の通信用ポートＬＰ５の極性を設定する。上記のように、レンズマイコン１１４は、正常に電源が供給されることにより起動するので、その起動のタイミングで第５の通信用ポートＬＰ５の極性を設定する。より具体的には、起動後であって、起動したことをカメラ側に通知する前に第５の通信用ポートＬＰ５の極性を設定する。
【０２１１】
ここで、レンズマイコン１１４は、交換レンズ１００がレンズ情報取得機能に対応している場合、第５の通信用ポートＬＰ５の極性を第１極性であるＨＩＧＨレベルに設定する。一方、交換レンズ１００がレンズ情報取得機能に対応していない場合、レンズマイコン１１４は、第５の通信用ポートＬＰ５の極性を第２極性であるＬＯＷレベルに設定する。
【０２１２】
第５の通信用ポートＣＰ５の極性がＨＩＧＨレベル（第１極性）に設定されることにより、レンズ側通信端子である第１１の端子ＬＣ１１がＨＩＧＨレベル（第１極性）に設定される。また、第５の通信用ポートＬＰ５の極性がＬＯＷレベル（第２極性）に設定されることにより、第１１の端子ＬＣ１１がＬＯＷレベル（第２極性）に設定される。
【０２１３】
〈カメラ側での互換性の判定〉
カメラ側判定部７２として機能するカメラマイコン３４は、レンズマイコン１１４が起動したことを検出したタイミングで第５の通信用ポートＣＰ５（第１１の端子ＣＣ１１）の極性を検出し、互換性の有無を判定する。具体的には、第１の通信用ポートＣＰ１がＬＯＷレベルに切り換わったことを検出したタイミングで第５の通信用ポートＣＰ５の極性を検出し、互換性の有無を判定する。
【０２１４】
上記のように、第５の通信用ポートＣＰ５は、カメラ１０及び交換レンズ１００の双方で第５の通信用ポートＣＰ５、ＬＰ５がＨＩＧＨレベルに設定されている場合にのみＨＩＧＨレベルになる。そして、カメラ１０及び交換レンズ１００の双方で第５の通信用ポートＣＰ５、ＬＰ５がＨＩＧＨレベルに設定される場合とは、カメラ１０及び交換レンズ１００の双方でレンズ情報取得機能に対応している場合である。よって、カメラマイコン３４は、第５の通信用ポートＣＰ５の極性がＨＩＧＨレベルの場合、装着された交換レンズ１００がレンズ情報取得機能に対応している、と判定する。一方、第５の通信用ポートＣＰ５の極性がＬＯＷレベルの場合は、互換性なし、と判定する。なお、互換性なし、の場合とは、カメラ側がレンズ情報取得機能に対応していない場合、交換レンズ側がレンズ情報取得機能に対応していない場合、又は、カメラ側及び交換レンズ側の双方がレンズ情報取得機能に対応していない場合である。
【０２１５】
〈交換レンズ側での互換性の判定〉
レンズ側判定部１３２として機能するレンズマイコン１１４は、起動を通知するタイミングで第５の通信用ポートＬＰ５（第１１の端子ＬＣ１１）の極性を検出し、互換性の有無を判定する。具体的には、第１の通信用ポートＬＰ１をＬＯＷレベルに切り換えるタイミングで第５の通信用ポートＬＰ５の極性を検出し、互換性の有無を判定する。
【０２１６】
カメラ側と同様に、交換レンズ側の第５の通信用ポートＬＰ５は、カメラ１０及び交換レンズ１００の双方で第５の通信用ポートＣＰ５、ＬＰ５がＨＩＧＨレベルに設定されている場合にのみＨＩＧＨレベルになる。上記のように、カメラ１０及び交換レンズ１００の双方で第５の通信用ポートＣＰ５、ＬＰ５がＨＩＧＨレベルに設定される場合とは、カメラ１０及び交換レンズ１００の双方でレンズ情報取得機能に対応している場合である。よって、レンズマイコン１１４は、第５の通信用ポートＬＰ５の極性がＨＩＧＨレベルの場合、装着先のカメラ１０がレンズ情報取得機能に対応している、と判定する。一方、第５の通信用ポートＬＰ５の極性がＬＯＷレベルの場合は、互換性なし、と判定する。なお、互換性なし、の場合とは、カメラ側がレンズ情報取得機能に対応していない場合、交換レンズ側がレンズ情報取得機能に対応していない場合、又は、カメラ側及び交換レンズ側の双方がレンズ情報取得機能に対応していない場合である。
【０２１７】
このように、カメラ側では第５の通信用ポートＣＰ５（第１１の端子ＣＣ１１）、交換レンズ側では第５の通信用ポートＬＰ５（第１１の端子ＬＣ１１）の極性を検出することにより、カメラ１０及び交換レンズ１００の双方で互換性の有無を判定できる。
【０２１８】
〈判定例〉
いま、カメラシステム１が、三つのカメラと、三つの交換レンズと、で構成されている場合を考える。三つのカメラを第１カメラ、第２カメラ及び第３カメラとし、三つの交換レンズを第１交換レンズ、第２交換レンズ及び第３交換レンズとする。カメラについては、第１カメラのみが特定の機能に対応しており、他は特定の機能に対応していないとする。また、交換レンズについては、第１交換レンズのみが特定の機能に対応しており、他は特定の機能に対応していないとする。
【０２１９】
この場合、第１カメラと第１交換レンズとを組み合わせた場合にのみ、第５の通信用ポートＣＰ５、ＬＰ５の極性がＨＩＧＨレベルになる。他の組み合わせ、すなわち、第１カメラと第２交換レンズ、第１カメラと第３交換レンズ、第２カメラと第１交換レンズ、第２カメラと第２交換レンズ、第２カメラと第３交換レンズ、第３カメラと第１交換レンズ、第３カメラと第２交換レンズ、及び、第３カメラと第３交換レンズとの組み合わせでは、すべて第５の通信用ポートＣＰ５、ＬＰ５の極性がＬＯＷレベルになる。
【０２２０】
したがって、カメラ及び交換レンズの双方で第５の通信用ポートＣＰ５、ＬＰ５の極性を検出すれば、カメラ１０及び交換レンズ１００の双方で互換性の有無を判定できる。具体的には、カメラ及び交換レンズの双方で第５の通信用ポートＣＰ５、ＬＰ５の極性がＨＩＧＨレベルの場合、カメラ及び交換レンズの双方が特定の機能に対応していると判定できる。一方、カメラ及び交換レンズの双方で第５の通信用ポートＣＰ５、ＬＰ５の極性がＬＯＷレベルの場合、少なくとも一方が特定の機能に対応していないと判定できる。すなわち、互換性なし、と判定できる。
【０２２１】
《レンズ情報の取得》
カメラ１０及び交換レンズ１００の双方がレンズ情報取得機能に対応している場合、すなわち、双方で互換性がある場合、レンズ情報の取得処理が行われる。
【０２２２】
レンズ情報の取得処理は、交換レンズ１００からカメラ１０にレンズ情報を送信し、これをカメラ１０で受信することにより行われる。レンズ情報の送信は、単線式シリアル通信で行われ、カメラ側拡張通信端子（第１２の端子ＣＣ１２）及びレンズ側拡張通信端子（第１２の端子ＬＣ１２）を使用して行われる。
【０２２３】
ここで、レンズ情報とは、その交換レンズ１００の仕様を示す情報である。レンズ情報には、たとえば、レンズ機種データ、レンズ特性データ、レンズ特性補正データ等が含まれる。レンズ機種データには、レンズ機種名、焦点距離、開放Ｆ値、メーカー名、プロダクトＩＤ（ＩＤ： Identification）等が含まれる。レンズ特性データには、輝度シェーディングデータ、色シェーディングデータ、ディストーションデータ、収差データ等が含まれる。レンズ特性補正データには、輝度シェーディング補正データ、色シェーディング補正データ、ディストーション補正データ、収差補正データ等が含まれる。レンズ情報は、レンズマイコン１１４のＲＯＭに格納される。
【０２２４】
レンズ情報の取得処理は、次の手順で行われる。
【０２２５】
上記の互換性の判定において、装着先のカメラ１０が、レンズ情報取得機能に対応していると判定すると、単線式シリアル通信を行うための通信設定が行われる。通信設定は、順番に実施され、カメラ側の通信設定が行われた後、交換レンズ側の通信設定が行われる。カメラ側の通信設定を交換レンズ側の通信設定よりも先に実施するのは、交換レンズが通信を開始する際に確実にカメラ側の通信設定を完了させておくためである。
【０２２６】
通信設定が完了すると、レンズマイコン１１４は、第６の通信用ポートＬＰ６（ＴＸＤポート）からレンズ情報を出力する。
【０２２７】
レンズマイコン１１４の第６の通信用ポートＬＰ６から出力されたレンズ情報は、レンズ側拡張通信端子である第１２の端子ＬＣ１２を介して、カメラ側に送信される。
【０２２８】
カメラ側に送信されたレンズ情報は、カメラ側拡張通信端子である第１２の端子ＣＣ１２を介して受信され、カメラマイコン３４の第６の通信用ポートＣＰ６（ＲＸＤポート）に入力される。これにより、カメラ側において、装着された交換レンズ１００のレンズ情報が取得される。
【０２２９】
取得されたレンズ情報は、交換レンズ１００の制御等に利用される。
【０２３０】
《通信設定》
互換性有無の判定後、カメラ１０と交換レンズ１００の双方で通信設定が行われる。具体的には、カメラ１０と交換レンズ１００との間で３線式シリアル通信を行うために必要な各種設定が行われる。
【０２３１】
通信設定は、順番に実施され、交換レンズ側の通信設定が行われた後、カメラ側の通信設定が行われる。より具体的には、互換性有無の判定後、一定時間（たとえば、２．５mｓ）が経過すると、交換レンズ側の通信設定が行われ、更に一定時間（たとえば、２．５ｍｓ）が経過すると、カメラ側の通信設定が行われる。これにより、カメラが通信を開始する前に確実に通信の設定を完了させることができる。上記のように、本実施の形態のカメラシステム１は、カメラがＳＰＩマスター、交換レンズがＳＰＩスレーブとして３線式シリアル通信が行われる。したがって、通信を開始するトリガーは、カメラ側が有している。上記のように、交換レンズ側の通信設定をカメラ側の通信設定よりも先に実施することにより、カメラが通信を開始する前に確実に交換レンズ側の通信設定を完了させることができる。これにより、確実な通信を実現でき、かつ、通信開始までの時間も短縮できる。
【０２３２】
レンズマイコン１１４は、互換性有無の判定後、一定時間が経過すると、カメラマイコン３４との間で３線式シリアル通信を行うために必要な各種設定を行う。更に一定時間が経過すると、カメラマイコン３４が、レンズマイコン１１４との間で３線式シリアル通信を行うために必要な各種設定を行う。
【０２３３】
この通信設定の処理は、上述したレンズ情報の取得処理と並行して行われる。これにより、起動を高速化できる。
【０２３４】
《カメラ側拡張通信端子及びレンズ側拡張通信端子の用途の切り換え》
レンズ情報が取得された後、カメラ側拡張通信端子（第１２の端子ＣＣ１２）及びレンズ側拡張通信端子（第１２の端子ＬＣ１２）は、他の用途で使用される。具体的には、交換レンズ１００の状態を交換レンズ１００からカメラ１０に通知するための端子として使用される。
【０２３５】
レンズ情報の送信が完了すると、レンズマイコン１１４は、レンズ側拡張通信端子（第１２の端子ＬＣ１２）を状態通知用の通信端子として使用するために必要な設定を行う。同様に、カメラマイコン３４は、カメラ側拡張通信端子（第１２の端子ＣＣ１２）を状態通知用の通信端子として使用するために必要な設定を行う。
【０２３６】
これにより、レンズ情報の送信後もカメラ側拡張通信端子及びレンズ側拡張通信端子を有効に活用できる。
【０２３７】
なお、カメラ１０又は交換レンズ１００が、レンズ情報取得機能に対応していない場合も同様の処理が行われる。すなわち、交換レンズ１００の状態を通知するための端子として使用するために必要な設定が行われる。
【０２３８】
《交換レンズの駆動》
カメラマイコン３４とレンズマイコン１１４との間の通信が確立すると、交換レンズ１００はスタンバイ状態となる。以後、カメラ１０からの指示に応じて動作が可能になる。
【０２３９】
レンズマイコン１１４は、同期式のシリアル通信用の端子を利用して、カメラマイコン３４と通信し、カメラマイコン３４から駆動の指示を受け付ける。そして、受け付けた指示に応じて、レンズ駆動部１１０を制御し、交換レンズ１００を動作させる。
【０２４０】
この際、レンズ駆動部１１０は、カメラ１０から電源の供給を受けて動作する。レンズ駆動用電源は、複数の電源端子（カメラ側の第２の端子ＣＣ２〜第４の端子ＣＣ４及び交換レンズ側の第２の端子ＬＣ２〜第４の端子ＬＣ４）を介して複数供給される。各レンズ駆動用電源ＬＶ１、ＬＶ２、ＬＶ３は、互いに電圧が異なり、それぞれ対応する駆動部に供給される。たとえば、フォーカス駆動部１１０Ａ、及び、絞り駆動部１１０Ｃを備えた交換レンズ１００において、最も低い電圧の第１のレンズ駆動用電源ＬＶ１（＋５Ｖ）は絞り駆動部１１０Ｃに供給される。また、最も高い電圧の第３のレンズ駆動用電源ＬＶ３（＋１０Ｖ）はフォーカス駆動部１１０Ａに供給される。
【０２４１】
このように各駆動部に対応する電圧の電源がカメラ側から供給されることにより、交換レンズ側で電源を生成する必要がなくなり、交換レンズ１００の構成を簡素化できる。また、ノイズ対策も不要になるので、より構成を簡素化できる。
【０２４２】
更に、複数の電源端子を介して交換レンズに電源を供給することにより、効率よく電源を供給できる。たとえば、交換レンズ側で大きな電源が必要な場合、一つの電源端子から供給すると、端子部分での損失が大きくなる。しかし、複数の電源端子を介して交換レンズに供給する構成とすることにより、端子部分での損失を低減でき、効率よく電源を供給できる。すなわち、複数の電源端子を介して交換レンズに供給する構成とすることにより、端子面積を大きく取ることができ、損失を減らして、効率よく電源を供給できる。
【０２４３】
その一方で電源端子の数が増えるが、本実施の形態のカメラシステム１では、システム電源用の端子を削減できるので、端子数の増加も抑制できる。
【０２４４】
《レンズ駆動用電源の個別のオンオフ》
上記のように、交換レンズ１００には、カメラ１０から電圧の異なる複数のレンズ駆動用電源が供給される。
【０２４５】
しかし、交換レンズ１００によっては、必ずしもすべてのレンズ駆動用電源が使用されるとは限らず、一部のレンズ駆動用電源のみが使用される場合もある。たとえば、各駆動部が同じ動作電圧で動作する場合などには、その動作電圧以外のレンズ駆動用電源は使用されない。
【０２４６】
そこで、交換レンズ側で使用しない電圧のレンズ駆動用電源は供給を停止する。これにより、省電力化が図れる。
【０２４７】
どの電圧のレンズ駆動用電源が必要かは、交換レンズごとに異なる。カメラマイコン３４は、交換レンズ１００から取得したレンズ情報に基づいて、必要な電圧のレンズ駆動用電源を判別し、電源供給部４２から必要な電圧のレンズ駆動用電源のみを供給させる。具体的には、次のように処理する。
【０２４８】
まず、交換レンズ１００から取得したレンズ情報に基づいて、装着された交換レンズ１００に必要な電圧のレンズ駆動用電源を判別する。カメラマイコン３４に備えられたＲＯＭには、判定テーブルが格納されており、カメラマイコン３４は、その判定テーブルを参照して、装着された交換レンズ１００に必要な電圧のレンズ駆動用電源を判別する。判定テーブルには、カメラシステム１を構成する交換レンズ（レンズ機種名）ごとに、必要な電圧のレンズ駆動用電源の情報が対応付けられて記録される。
【０２４９】
次に、カメラマイコン３４は、判別結果に基づいて、レンズ駆動用電源スイッチ部４４を制御し、交換レンズ側で未使用のレンズ駆動用電源の供給を停止する。たとえば、中間の電圧である第２のレンズ駆動用電源ＬＶ２が交換レンズ側で未使用の場合、第２のレンズ駆動用電源ＬＶ２の供給を停止させる。これにより、必要なレンズ駆動用電源のみが供給される。
【０２５０】
なお、最も低い電圧の第１のレンズ駆動用電源ＬＶ１は、レンズマイコン１１４のシステム電源に使用する関係上、必ず使用されるレンズ駆動用電源となる。したがって、実際に供給が停止されるのは、中間の電圧である第２のレンズ駆動用電源ＬＶ２又は最も高い電圧の第３のレンズ駆動用電源ＬＶ３となる。
【０２５１】
このように、交換レンズ側で未使用のレンズ駆動用電源の供給を停止することにより、効率よく電源を供給でき、かつ、省電力化が図れる。
【０２５２】
なお、本例では、カメラ側に備えられた判定テーブルを参照して、必要な電圧のレンズ駆動用電源を判別する構成としているが、交換レンズから送信するレンズ情報に必要な電圧のレンズ駆動用電源を含めてもよい。
【０２５３】
《交換レンズの取り外し》
交換レンズ１００をカメラ１０から取り外す場合は、交換レンズ１００を取り付けたときとは逆の方向に交換レンズ１００を回転させて、カメラ１０から取り外す。この際、交換レンズ１００の電源端子（第２の端子ＬＣ２、第３の端子ＬＣ３及び第４の端子ＬＣ４）が、交換レンズ１００のグランド端子（第５の端子ＬＣ５及び第６の端子ＬＣ６）に対して、回転方向の後側（交換レンズ１００を装着するときの回転方向Ｒに対しては前側）に配置されていることにより、交換レンズ１００を安全に取り外すことができる。
【０２５４】
すなわち、交換レンズ１００を取り外すときの回転方向に対して、電源端子がグランド端子の後側に隣接して配置されていることにより、交換レンズ１００を取り外す方向に回転させると、直後に交換レンズ１００の電源端子がカメラ１０のグランド端子に接触する構造となる。すなわち、他の端子に触れることなく、交換レンズ１００の電源端子がカメラ１０のグランド端子に接触する構造となる。これにより、電源端子及びその配線に残存する電荷を適切に処理でき、安全に交換レンズ１００を取り外すことができる。
【０２５５】
また、複数の電源端子が、交換レンズ１００を取り外すときの回転方向に対して、電圧の高い順（交換レンズ１００を装着するときの回転方向Ｒに対しては低い順）に配置されていることにより、電源端子同士が接触しても、適切に交換レンズ側に残存する電荷を処理できる。すなわち、交換レンズ１００を取り外すために回転させると、交換レンズ側の電源端子は、必ず自身よりも高い電圧の電源を供給するカメラ側の電源端子又はグランド端子に接触する構造になるので、交換レンズ側の電源端子及びその配線に電荷が残存していても、適切に処理できる。これにより、安全に交換レンズ１００を取り外すことができる。
【０２５６】
◆◆第２の実施の形態◆◆
［カメラシステムの構成］
図１２は、レンズ交換式のカメラシステムの第２の実施の形態のシステム構成図である。
【０２５７】
同図に示すように、本実施の形態のカメラシステム１は、カメラ１０と交換レンズ１００との間に着脱自在に装着されるアクセサリー２００を更に備える。アクセサリー２００は、少なくとも一つ備えられる。本実施の形態では、二つのアクセサリー２００が備えられる。アクセサリー２００は、たとえば、エクステンダー、エクステンションチューブ等で構成される。本実施の形態では、二つのアクセサリー２００が共にエクステンダーで構成される。この場合、アクセサリー２００には、その鏡胴内にエクステンダーレンズが備えられる。二つのアクセサリー２００のうち一方は焦点距離を１．４倍に伸ばすエクステンダーで構成され、他方は焦点距離を２倍に伸ばすエクステンダーで構成される。
【０２５８】
本実施の形態のカメラシステム１では、特定の機能への対応の有無として、アクセサリー２００と通信する機能への対応の有無が判定される。すなわち、カメラ１０及び交換レンズ１００には、アクセサリー２００と通信する機能を備えたものが存在し、カメラ１０及び交換レンズ１００の双方で当該機能への対応の有無が判定される。
【０２５９】
《アクセサリーの外観構成》
アクセサリー２００は、そのアクセサリーボディー２０２の基端側にアクセサリー側第１マウント２０４Ａを備え、先端側にアクセサリー側第２マウント２０４Ｂを備える。
【０２６０】
アクセサリー側第１マウント２０４Ａは、アクセサリー２００をカメラ１０に装着するためのマウントである。アクセサリー側第１マウント２０４Ａは、交換レンズ１００に備えられるレンズ側マウント１０４と同じ構造を有する。
【０２６１】
アクセサリー側第２マウント２０４Ｂは、アクセサリー２００に交換レンズ１００を装着するためのマウントである。アクセサリー側第２マウント２０４Ｂは、カメラ１０に備えられるカメラ側マウント１４と同じ構造を有する。
【０２６２】
アクセサリー２００は、アクセサリー側第１マウント２０４Ａを介してカメラ１０に装着される。アクセサリー２００が装着されたカメラ１０は、アクセサリー２００のアクセサリー側第２マウント２０４Ｂに交換レンズ１００が装着される。
【０２６３】
《アクセサリーの電気的構成》
図１３は、アクセサリーの電気的な構成を示す図である。
【０２６４】
〈アクセサリー側第１端子群及びアクセサリー側第２端子群〉
（Ａ）アクセサリー側第１端子群
アクセサリー２００のアクセサリー側第１マウント２０４Ａには、複数の端子Ａ１Ｃ１〜Ａ１Ｃ１２で構成されるアクセサリー側第１端子群Ａ１ＣＧが備えられる。アクセサリー側第１端子群Ａ１ＣＧは、カメラ側端子群ＣＣＧに対応して設けられる。したがって、カメラ側端子群ＣＣＧを構成する端子と同じ数の端子で構成され、かつ、各端子Ａ１Ｃ１〜Ａ１Ｃ１２は、カメラ側端子群ＣＣＧを構成する端子ＣＣ１〜ＣＣ１２と同じ間隔で配置される。
【０２６５】
アクセサリー２００をカメラ１０に装着すると、アクセサリー側第１端子群Ａ１ＣＧの各端子Ａ１Ｃ１〜Ａ１Ｃ１２が、カメラ側端子群ＣＣＧの対応する端子ＣＣ１〜ＣＣ１２に接続される。すなわち、アクセサリー側第１端子群Ａ１ＣＧの第１の端子Ａ１Ｃ１がカメラ側端子群ＣＣＧの第１の端子ＣＣ１に接続され、アクセサリー側第１端子群Ａ１ＣＧの第２の端子Ａ１Ｃ２がカメラ側端子群ＣＣＧの第２の端子ＣＣ２に接続され、…、アクセサリー側第１端子群Ａ１ＣＧの第１２の端子Ａ１Ｃ１２がカメラ側端子群ＣＣＧの第１２の端子ＣＣ１２に接続される。
【０２６６】
カメラ側端子群ＣＣＧの第１の端子ＣＣ１は、レンズ検出端子を構成するので、アクセサリー側第１端子群Ａ１ＣＧの第１の端子Ａ１Ｃ１もレンズ検出端子を構成する。
【０２６７】
また、カメラ側端子群ＣＣＧの第２の端子ＣＣ２、第３の端子ＣＣ３及び第４の端子ＣＣ４は、それぞれ電源端子を構成するので、アクセサリー側第１端子群Ａ１ＣＧの第２の端子Ａ１Ｃ２、第３の端子Ａ１Ｃ３及び第４の端子Ａ１Ｃ４もそれぞれ対応する電源端子を構成する。
【０２６８】
なお、第２の端子Ａ１Ｃ２が、最も低い電圧のレンズ駆動用電源ＬＶ１を供給する端子であり、第４の端子Ａ１Ｃ４が、最も高い電圧のレンズ駆動用電源ＬＶ３を供給する端子である。また、第３の端子Ａ１Ｃ３が、中間の電圧のレンズ駆動用電源ＬＶ２を供給する端子である。
【０２６９】
また、カメラ側端子群ＣＣＧの第５の端子ＣＣ５及び第６の端子ＣＣ６は、それぞれグランド端子を構成するので、アクセサリー側第１端子群Ａ１ＣＧの第５の端子Ａ１Ｃ５及び第６の端子Ａ１Ｃ６もそれぞれ対応するグランド端子を構成する。
【０２７０】
更に、カメラ側端子群ＣＣＧの第７の端子ＣＣ７〜第１２の端子ＣＣ１２は、それぞれ通信端子を構成するので、アクセサリー側第１端子群Ａ１ＣＧの第７の端子Ａ１Ｃ７〜第１２の端子Ａ１Ｃ１２もそれぞれ対応する通信端子を構成する。特に、第１２の端子Ａ１Ｃ１２は、アクセサリー側第１拡張通信端子を構成する。第１２の端子Ａ１Ｃ１２は、アクセサリー２００がカメラ１０に装着された際、カメラ側拡張通信端子であるカメラ１０の第１２の端子ＣＣ１２に接続される。
【０２７１】
（Ｂ）アクセサリー側第２端子群
アクセサリー２００のアクセサリー側第２マウント２０４Ｂには、複数の端子Ａ２Ｃ１〜Ａ２Ｃ１２で構成されるアクセサリー側第２端子群Ａ２ＣＧが備えられる。アクセサリー側第２端子群Ａ２ＣＧは、レンズ側端子群ＬＣＧに対応して設けられる。したがって、レンズ側端子群ＬＣＧを構成する端子と同じ数の端子で構成され、かつ、各端子Ａ２Ｃ１〜Ａ２Ｃ１２は、レンズ側端子群ＬＣＧを構成する端子ＣＣ１〜ＣＣ１２と同じ間隔で配置される。
【０２７２】
交換レンズ１００をアクセサリー２００に装着すると、レンズ側端子群ＬＣＧの各端子ＬＣ１〜ＬＣ１２が、アクセサリー側第２端子群Ａ２ＣＧの対応する端子Ａ２Ｃ１〜Ａ２Ｃ１２に接続される。すなわち、レンズ側端子群ＬＣＧの第１の端子ＬＣ１がアクセサリー側第２端子群Ａ２ＣＧの第１の端子Ａ２Ｃ１に接続され、レンズ側端子群ＬＣＧの第２の端子ＬＣ２がアクセサリー側第２端子群Ａ２ＣＧの第２の端子Ａ２Ｃ２に接続され、…、レンズ側端子群ＬＣＧの第１２の端子ＬＣ１２がアクセサリー側第２端子群Ａ２ＣＧの第１２の端子Ａ２Ｃ１２に接続される。
【０２７３】
レンズ側端子群ＬＣＧの第１の端子ＬＣ１は、レンズ検出端子を構成するので、アクセサリー側第２端子群Ａ２ＣＧの第１の端子Ａ２Ｃ１もレンズ検出端子を構成する。
【０２７４】
また、レンズ側端子群ＬＣＧの第２の端子ＬＣ２、第３の端子ＬＣ３及び第４の端子ＬＣ４は、それぞれ電源端子を構成するので、アクセサリー側第２端子群Ａ２ＣＧの第２の端子Ａ２Ｃ２、第３の端子Ａ２Ｃ３及び第４の端子Ａ２Ｃ４もそれぞれ対応する電源端子を構成する。
【０２７５】
なお、第２の端子Ａ２Ｃ２が、最も低い電圧のレンズ駆動用電源ＬＶ１を供給する端子であり、第４の端子Ａ２Ｃ４が、最も高い電圧のレンズ駆動用電源ＬＶ３を供給する端子である。また、第３の端子Ａ２Ｃ３が、中間の電圧のレンズ駆動用電源ＬＶ２を供給する端子である。
【０２７６】
また、レンズ側端子群ＬＣＧの第５の端子ＬＣ５及び第６の端子ＬＣ６は、それぞれグランド端子を構成するので、アクセサリー側第２端子群Ａ２ＣＧの第５の端子Ａ２Ｃ５及び第６の端子Ａ２Ｃ６もそれぞれ対応するグランド端子を構成する。
【０２７７】
更に、レンズ側端子群ＬＣＧの第７の端子ＬＣ７〜第１２の端子ＬＣ１２は、それぞれ通信端子を構成するので、アクセサリー側第２端子群Ａ２ＣＧの第７の端子Ａ２Ｃ７〜第１２の端子Ａ２Ｃ１２もそれぞれ対応する通信端子を構成する。特に、第１２の端子Ａ２Ｃ１２は、アクセサリー側第２拡張通信端子を構成する。第１２の端子Ａ２Ｃ１２は、交換レンズ１００が装着された際、レンズ側拡張通信端子である交換レンズ１００の第１２の端子ＬＣ１２に接続される。
【０２７８】
〈アクセサリー側第１端子群とアクセサリー側第２端子群との関係〉
（Ａ）第１の端子
アクセサリー側第１端子群Ａ１ＣＧにおいてレンズ検出端子を構成する第１の端子Ａ１Ｃ１及びアクセサリー側第２端子群Ａ２ＣＧにおいてレンズ検出端子を構成する第１の端子Ａ２Ｃ１は、アクセサリー内において、第１の接続配線ＡＬ１によって互いに接続される。これにより、カメラ１０と交換レンズ１００との間にアクセサリー２００を装着した場合であっても、カメラ１０の第１の端子ＣＣ１と交換レンズ１００の第１の端子ＬＣ１とを電気的に接続できる。
【０２７９】
（Ｂ）第２の端子〜第４の端子
アクセサリー側第１端子群Ａ１ＣＧにおいて第１の電源端子を構成する第２の端子Ａ１Ｃ２及びアクセサリー側第２端子群Ａ２ＣＧにおいて第１の電源端子を構成する第２の端子Ａ２Ｃ２は、アクセサリー内において、アクセサリー側電源線を構成する第２の接続配線ＡＬ２によって互いに接続される。これにより、カメラ１０と交換レンズ１００との間にアクセサリー２００を装着した場合であっても、カメラ１０の第２の端子ＣＣ２と交換レンズ１００の第２の端子ＬＣ２とを電気的に接続できる。この場合、第２の接続配線ＡＬ２は、カメラ１０から交換レンズ１００に最も低い電圧の第１のレンズ駆動用電源ＬＶ１を供給する配線として機能する。
【０２８０】
アクセサリー側第１端子群Ａ１ＣＧにおいて第２の電源端子を構成する第３の端子Ａ１Ｃ３及びアクセサリー側第２端子群Ａ２ＣＧにおいて第２の電源端子を構成する第３の端子Ａ２Ｃ３は、アクセサリー内において、アクセサリー側電源線を構成する第３の接続配線ＡＬ３によって互いに接続される。これにより、カメラ１０と交換レンズ１００との間にアクセサリー２００を装着した場合であっても、カメラ１０の第３の端子ＣＣ３と交換レンズ１００の第３の端子ＬＣ３とを電気的に接続できる。この場合、第３の接続配線ＡＬ３は、カメラ１０から交換レンズ１００に中間の電圧の第２のレンズ駆動用電源ＬＶ２を供給する配線として機能する。
【０２８１】
アクセサリー側第１端子群Ａ１ＣＧにおいて第３の電源端子を構成する第４の端子Ａ１Ｃ４及びアクセサリー側第２端子群Ａ２ＣＧにおいて第３の電源端子を構成する第４の端子Ａ２Ｃ４は、アクセサリー内において、アクセサリー側電源線を構成する第４の接続配線ＡＬ４によって互いに接続される。これにより、カメラ１０と交換レンズ１００との間にアクセサリー２００を装着した場合であっても、カメラ１０の第４の端子ＣＣ４と交換レンズ１００の第４の端子ＬＣ４とを電気的に接続できる。この場合、第４の接続配線ＡＬ４は、カメラ１０から交換レンズ１００に最も高い電圧の第３のレンズ駆動用電源ＬＶ３を供給する配線として機能する。
【０２８２】
（Ｃ）第５の端子及び第６の端子
アクセサリー側第１端子群Ａ１ＣＧにおいて第２のグランド端子を構成する第６の端子Ａ１Ｃ６及びアクセサリー側第２端子群Ａ２ＣＧにおいて第２のグランド端子を構成する第６の端子Ａ２Ｃ６は、アクセサリー内において、アクセサリー側グランド線を構成する第６の接続配線ＡＬ６によって互いに接続される。これにより、カメラ１０と交換レンズ１００との間にアクセサリー２００を装着した場合であっても、カメラ１０の第６の端子ＣＣ６と交換レンズ１００の第６の端子ＬＣ６とを電気的に接続できる。
【０２８３】
アクセサリー側第１端子群Ａ１ＣＧにおいて第１のグランド端子を構成する第５の端子Ａ１Ｃ５及びアクセサリー側第２端子群Ａ２ＣＧにおいて第１のグランド端子を構成する第５の端子Ａ２Ｃ５は、アクセサリー内において、それぞれ第５の接続配線ＡＬ５Ａ、ＡＬ５Ｂを介して第６の接続配線ＡＬ６に接続される。これにより、カメラ１０と交換レンズ１００との間にアクセサリー２００を装着した場合であっても、カメラ１０の第５の端子ＣＣ５と交換レンズ１００の第５の端子ＬＣ５とを電気的に接続できる。
【０２８４】
（Ｄ）第７の端子〜第１２の端子
アクセサリー側第１端子群Ａ１ＣＧにおいて通信端子を構成する第７の端子Ａ１Ｃ７及びアクセサリー側第２端子群Ａ２ＣＧにおいて通信端子を構成する第７の端子Ａ２Ｃ７は、アクセサリー内において、アクセサリー側通信線を構成する第７の接続配線ＡＬ７によって互いに接続される。これにより、カメラ１０と交換レンズ１００との間にアクセサリー２００を装着した場合であっても、カメラ１０の第７の端子ＣＣ７と交換レンズ１００の第７の端子ＬＣ７とを電気的に接続できる。
【０２８５】
アクセサリー側第１端子群Ａ１ＣＧにおいて通信端子を構成する第８の端子Ａ１Ｃ８及びアクセサリー側第２端子群Ａ２ＣＧにおいて通信端子を構成する第８の端子Ａ２Ｃ８は、アクセサリー内において、アクセサリー側通信線を構成する第８の接続配線ＡＬ８によって互いに接続される。これにより、カメラ１０と交換レンズ１００との間にアクセサリー２００を装着した場合であっても、カメラ１０の第８の端子ＣＣ８と交換レンズ１００の第８の端子ＬＣ８とを電気的に接続できる。
【０２８６】
アクセサリー側第１端子群Ａ１ＣＧにおいて通信端子を構成する第９の端子Ａ１Ｃ９及びアクセサリー側第２端子群Ａ２ＣＧにおいて通信端子を構成する第９の端子Ａ２Ｃ９は、アクセサリー内において、アクセサリー側通信線を構成する第９の接続配線ＡＬ９によって互いに接続される。これにより、カメラ１０と交換レンズ１００との間にアクセサリー２００を装着した場合であっても、カメラ１０の第９の端子ＣＣ９と交換レンズ１００の第９の端子ＬＣ９とを電気的に接続できる。
【０２８７】
アクセサリー側第１端子群Ａ１ＣＧにおいて通信端子を構成する第１０の端子Ａ１Ｃ１０及びアクセサリー側第２端子群Ａ２ＣＧにおいて通信端子を構成する第１０の端子Ａ２Ｃ１０は、アクセサリー内において、アクセサリー側通信線を構成する第１０の接続配線ＡＬ１０によって互いに接続される。これにより、カメラ１０と交換レンズ１００との間にアクセサリー２００を装着した場合であっても、カメラ１０の第１０の端子ＣＣ１０と交換レンズ１００の第１０の端子ＬＣ１０とを電気的に接続できる。
【０２８８】
アクセサリー側第１端子群Ａ１ＣＧにおいて通信端子を構成する第１１の端子Ａ１Ｃ１１及びアクセサリー側第２端子群Ａ２ＣＧにおいて通信端子を構成する第１１の端子Ａ２Ｃ１１は、アクセサリー内において、アクセサリー側通信線を構成する第１１の接続配線ＡＬ１１によって互いに接続される。これにより、カメラ１０と交換レンズ１００との間にアクセサリー２００を装着した場合であっても、カメラ１０の第１１の端子ＣＣ１１と交換レンズ１００の第１１の端子ＣＣ１１とを電気的に接続できる。
【０２８９】
ここで、第９の端子、第１０の端子及び第１１の端子は、３線式シリアル通信に使用される端子なので、第９の接続配線ＡＬ９、第１０の接続配線ＡＬ１０及び第１１の接続配線ＡＬ１１は、３線式シリアル通信に使用される。
【０２９０】
アクセサリー側第１端子群Ａ１ＣＧにおいてアクセサリー側第１拡張通信端子を構成する第１２の端子Ａ１Ｃ１２及びアクセサリー側第２端子群Ａ２ＣＧにおいてアクセサリー側第２拡張通信端子を構成する第１２の端子Ａ２Ｃ１２は、アクセサリー内において、それぞれ第１２の接続配線ＡＬ１２Ａ、ＡＬ１２Ｂを介して、アクセサリーマイコン２１０に接続される。
【０２９１】
〈アクセサリーマイコン〉
アクセサリーマイコン２１０は、アクセサリー２００の動作を制御する。
【０２９２】
アクセサリーマイコン２１０は、ＣＰＵ、ＲＯＭ、及び、ＲＡＭを備え、規定のプログラムを実行することにより各種機能を提供する。ＲＯＭには、ＣＰＵが実行する各種プログラムの他、制御に必要な各種データ等が格納される。
【０２９３】
図１４は、アクセサリーマイコンが実現する機能の一例を示すブロック図である。
【０２９４】
同図に示すように、アクセサリーマイコン２１０は、規定のプログラムを実行することにより、アクセサリー通信部２１２、バイパス制御部２１４等として機能する。
【０２９５】
アクセサリー通信部２１２は、アクセサリー２００が装着されたカメラ１０及び交換レンズ１００と通信する。通信は、アクセサリーマイコン入出力ポート２１６を介して行われる。アクセサリーマイコン入出力ポート２１６には、カメラ１０及び交換レンズ１００との間で単線式シリアル通信を行うための第１のポートＡＰ１及び第２のポートＡＰ２を備える。第１のポートＡＰ１は、データを出力するＴＸＤポートとして機能する。第１のポートＡＰ１は、第１２の接続配線ＡＬ１２Ａを介して、アクセサリー側第１端子群Ａ１ＣＧの第１２の端子Ａ１Ｃ１２に接続される（図１３参照）。第２のポートＡＰ２は、データを受信するＲＸＤポートとして機能する。第２のポートＡＰ２は、第１２の接続配線ＡＬ１２Ｂを介して、アクセサリー側第２端子群Ａ２ＣＧの第１２の端子Ａ２Ｃ１２に接続される（図１３参照）。
【０２９６】
これにより、カメラ側端子群ＣＣＧの第１２の端子ＣＣ１２及びアクセサリー側第１端子群Ａ１ＣＧの第１２の端子Ａ１Ｃ１２を介して、カメラマイコン３４とアクセサリーマイコン２１０とが通信可能に接続される。また、レンズ側端子群ＬＣＧの第１２の端子ＬＣ１２及びアクセサリー側第２端子群Ａ２ＣＧの第１２の端子Ａ２Ｃ１２を介して、レンズマイコン１１４とアクセサリーマイコン２１０とが通信可能に接続される。
【０２９７】
バイパス制御部２１４は、カメラマイコン３４とレンズマイコン１１４とが、アクセサリーマイコン２１０を経由せずに通信するためのバイパス機構のオンオフを制御する制御部である。バイパス機構は、次のように構成される。
【０２９８】
〈バイパス機構〉
（Ａ）バイパス機構の構成
図１３に示すように、アクセサリー側第１端子群Ａ１ＣＧの第１２の端子Ａ１Ｃ１２とアクセサリー側第２端子群Ａ２ＣＧの第１２の端子Ａ２Ｃ１２との間には、アクセサリーマイコン２１０を回避するようにバイパス線２３２が接続される。
【０２９９】
バイパス線２３２には、第１のスイッチとしての第１のＦＥＴ（ＦＥＴ：Field-Effect Transistor／電界効果トランジスター）２３４、及び、第２のスイッチとしての第２のＦＥＴ２３６が接続される。
【０３００】
第1のＦＥＴ２３４は、そのソース端子がバイパス線２３２を介してアクセサリー側第１端子群Ａ１ＣＧの第１２の端子Ａ１Ｃ１２に接続される。また、そのドレイン端子がバイパス線２３２を介して第２のＦＥＴ２３６のドレイン端子に接続される。
【０３０１】
また、第２のＦＥＴ２３６は、そのソース端子がバイパス線２３２を介してアクセサリー側第２端子群Ａ２ＣＧの第１２の端子Ａ２Ｃ１２に接続される。
【０３０２】
第１のＦＥＴ２３４及び第２のＦＥＴ２３６は、それぞれゲート端子が、第２の接続配線ＡＬ２と第６の接続配線ＡＬ６とを接続する配線２３８に接続される。
【０３０３】
配線２３８には、第３のスイッチとしての第３のＦＥＴ２４０及びプルアップ抵抗２４２が接続される。
【０３０４】
上記のように、第２の接続配線ＡＬ２は、最も低い電圧の第１のレンズ駆動用電源ＬＶ１を供給する配線として機能するので、配線２３８に接続された第１のＦＥＴ２３４及び第２のＦＥＴ２３６は、それぞれゲート端子が第１のレンズ駆動用電源ＬＶ１の電位にプルアップされる。
【０３０５】
第３のＦＥＴ２４０は、そのドレイン端子が配線２３８を介してプルアップ抵抗２４２に接続される。また、そのソース端子が、配線２３８を介して、第６の接続配線ＡＬ６に接続される。第６の接続配線ＡＬ６は、グランド線として機能するので、第３のＦＥＴ２４０は、ソース端子が接地される。
【０３０６】
また、第３のＦＥＴ２４０は、そのゲート端子が、配線２４４を介してアクセサリーマイコン２１０の第３のポートＡＰ３に接続される。バイパス制御部２１４として機能するアクセサリーマイコン２１０は、この第３のポートＡＰ３の極性（ＨＩＧＨレベル又はＬＯＷレベル）を制御して、バイパス機構のオンオフを制御する。
【０３０７】
（Ｂ）バイパス機構の動作
アクセサリー２００を装着した場合において、カメラマイコン３４とレンズマイコン１１４とが、アクセサリーマイコン２１０を経由して通信するモードを通常通信モードとし、カメラマイコン３４とレンズマイコン１１４とが、アクセサリーマイコン２１０を経由せずに通信するモードをバイパスモードとする。通常通信モードでは、バイパス機構がオフされ、バイパスモードでは、バイパス機構がオンされる。
【０３０８】
（１）通常通信モード
通常通信モードでは、バイパス機構がオフされる。この場合、アクセサリーマイコン２１０は、そのアクセサリーマイコン入出力ポート２１６の第３のポートＡＰ３の極性をＨＩＧＨレベルに設定する。これにより、第３のＦＥＴ２４０のゲート端子がＨＩＧＨレベルに設定され、スイッチとしての第３のＦＥＴ２４０がオンとなる。
【０３０９】
一方、スイッチとしての第３のＦＥＴ２４０がオンとなることにより、第１のＦＥＴ２３４及び第２のＦＥＴ２３６のゲート端子が、それぞれＬＯＷレベルに設定される。これにより、スイッチとしての第１のＦＥＴ２３４及び第２のＦＥＴ２３６がオフとなる。この結果、バイパス線２３２が切断され、バイパス機構がオフされる。
【０３１０】
これにより、アクセサリーマイコン２１０を介して、カメラマイコン３４とレンズマイコン１１４とが通信可能になる。より具体的には、アクセサリーマイコン２１０とカメラマイコン３４とが通信可能に接続され、かつ、アクセサリーマイコン２１０とレンズマイコン１１４とが通信可能に接続される。
【０３１１】
なお、ここでの通信は、単線式シリアル通信（単線による単方向の調歩同期式シリアル通信）となる。この場合、レンズマイコン１１４からアクセサリーマイコン２１０にデータが送信され、かつ、アクセサリーマイコン２１０からカメラマイコン３４にデータが送信される。
【０３１２】
（２）バイパスモード
バイパスモードでは、バイパス機構がオンされる。この場合、アクセサリーマイコン２１０は、そのアクセサリーマイコン入出力ポート２１６の第３のポートＡＰ３の極性をＬＯＷレベルに設定する。これにより、スイッチとしての第３のＦＥＴ２４０がオフとなる。
【０３１３】
一方、スイッチとしての第３のＦＥＴ２４０がオフとなると、第１のＦＥＴ２３４及び第２のＦＥＴ２３６のゲート端子が、それぞれＨＩＧＨレベルに設定される。これにより、スイッチとしての第１のＦＥＴ２３４及び第２のＦＥＴ２３６がオンとなる。この結果、バイパス線２３２が開通し、バイパス機構がオンされる。
【０３１４】
これにより、アクセサリーマイコン２１０を経由せずにカメラマイコン３４とレンズマイコン１１４とが直接通信できるように設定される。
【０３１５】
〈アクセサリー側システム電源生成部〉
アクセサリーマイコン２１０を動作させるためのシステム電源は、アクセサリー内に備えられたアクセサリー側システム電源生成部２５０によって生成される。アクセサリー側システム電源生成部２５０は、交換レンズ１００に備えられたレンズ側システム電源生成部１１２と同様に、カメラ１０から供給されるレンズ駆動用電源を使用して、アクセサリーマイコン２１０のシステム電源を生成する。
【０３１６】
ここで、アクセサリーマイコン２１０は、交換レンズ１００に備えられたレンズ駆動部１１０を構成する各駆動部よりも低い電圧で作動する構成とされる。たとえば、＋３．３Ｖで作動する構成とされる。
【０３１７】
アクセサリー側システム電源生成部２５０は、カメラ１０から供給される複数のレンズ駆動用電源ＬＶ１〜ＬＶ３のうち最も低い電圧のレンズ駆動用電源ＬＶ１（＋５Ｖ）を使用して、アクセサリーマイコン２１０のシステム電源（＋３．３Ｖ）を生成する。このため、アクセサリー側システム電源生成部２５０は、電源端子である第２の端子に接続された第２の接続配線ＡＬ２に接続される。
【０３１８】
なお、アクセサリー側システム電源生成部２５０もレンズ側システム電源生成部１１２と同様に抵抗による電圧降下によりシステム電源を生成する。これにより、システム電源の生成に伴うノイズの発生を防止できる。アクセサリー側システム電源生成部２５０は、たとえば、ＬＤＯレギュレーターで構成される。
【０３１９】
〈その他の構成〉
アクセサリー側第１端子群Ａ１ＣＧの第１２の端子Ａ１Ｃ１２は、プルダウン抵抗ＡＲ１２を介して接地され、グランドの電位にプルダウンされる。これにより、アクセサリー２００をカメラ１０に装着した際、カメラ１０の第１２の端子ＣＣ１２がＬＯＷレベル（第２極性）に設定される。カメラマイコン３４は、第１２の端子ＣＣ１２がＬＯＷレベル（第２極性）であることを検出することにより、カメラ１０にアクセサリー２００が装着されたことを検出できる。
【０３２０】
なお、このアクセサリー側第１端子群Ａ１ＣＧの第１２の端子Ａ１Ｃ１２に接続されたプルダウン抵抗ＡＲ１２は、交換レンズ１００の第１２の端子ＬＣ１２に接続されたプルアップ抵抗ＬＲ１２よりも大きな抵抗値を有する。たとえば、交換レンズ１００の第１２の端子ＬＣ１２に接続されたプルアップ抵抗ＬＲ１２が２．２ｋΩ、アクセサリー側第１端子群Ａ１ＣＧの第１２の端子Ａ１Ｃ１２に接続されたプルダウン抵抗ＡＲ１２が２２０ｋΩで構成される。これにより、たとえば、アクセサリー２００のモードが、バイパスモードに設定されている場合であっても、カメラ１０の第１２の端子ＣＣ１２をＬＯＷレベル（第２極性）に設定できる。
【０３２１】
この場合、交換レンズ１００の第１２の端子ＬＣ１２（レンズ側拡張通信端子）に接続されたプルアップ抵抗ＬＲ１２がレンズ側拡張通信端子極性設定部として機能し、アクセサリー２００の第１２の端子Ａ１Ｃ１２（アクセサリー側第１拡張通信端子）に接続されたプルダウン抵抗ＡＲ１２がアクセサリー側第１拡張通信端子極性設定部として機能する。また、カメラマイコン３４がアクセサリー検出部として機能する。アクセサリー検出部としての機能は、カメラマイコン３４が、所定のプログラムを実行することにより提供される。
【０３２２】
また、アクセサリーマイコン２１０のアクセサリーマイコン入出力ポート２１６は、第４のポートＡＰ４を備える。第４のポートＡＰ４は、入力用の通信用ポートとして機能し、配線２６０を介して第７の接続配線ＡＬ７に接続される。これにより、第７の接続配線ＡＬ７を介して送信される情報をアクセサリーマイコン２１０で受信できる。
【０３２３】
［カメラシステムの作用］
図１５は、カメラと交換レンズとの間にアクセサリーを装着した場合の相互の電気的な接続を示す図である。
【０３２４】
《アクセサリーの装着》
アクセサリー２００に備えられたアクセサリー側第１マウント２０４Ａをカメラ１０に備えられたカメラ側マウント１４に装着することにより、アクセサリー２００がカメラ１０に装着される。この際、カメラ１０に対してアクセサリー２００を回転させて装着する。
【０３２５】
また、交換レンズ１００に備えられたレンズ側マウント１０４をアクセサリー２００に備えられたアクセサリー側第２マウント２０４Ｂに装着することにより、交換レンズ１００がアクセサリー２００に装着される。この際、アクセサリー２００に対して交換レンズ１００を回転させて装着する。
【０３２６】
これにより、交換レンズ１００とカメラ１０との間にアクセサリー２００が装着される。アクセサリー２００を装着することにより、交換レンズ１００のレンズ側端子群ＬＣＧが、アクセサリー２００のアクセサリー側第２端子群Ａ２ＣＧに接続される。また、カメラ１０のカメラ側端子群ＣＣＧが、アクセサリー２００のアクセサリー側第１端子群Ａ１ＣＧに接続される。
【０３２７】
《カメラと交換レンズとの間の電気的な接続》
（Ａ）第１の端子
アクセサリー２００が装着されることにより、レンズ検出端子であるカメラ１０の第１の端子ＣＣ１は、アクセサリー２００の第１の接続配線ＡＬ１を介して、交換レンズ１００の第１の端子ＬＣ１と電気的に接続される。これにより、カメラ１０において、交換レンズ１００の装着を検出できる。
【０３２８】
（Ｂ）第２の端子〜第４の端子
アクセサリー２００が装着されることにより、第１の電源端子であるカメラ１０の第２の端子ＣＣ２は、アクセサリー２００の第２の接続配線ＡＬ２を介して、交換レンズ１００の第２の端子ＬＣ２と電気的に接続される。また、第２の電源端子であるカメラ１０の第３の端子ＣＣ３は、アクセサリー２００の第３の接続配線ＡＬ３を介して、交換レンズ１００の第３の端子ＬＣ３と電気的に接続される。また、第３の電源端子であるカメラ１０の第４の端子ＣＣ４は、アクセサリー２００の第４の接続配線ＡＬ４を介して、交換レンズ１００の第４の端子ＬＣ４と電気的に接続される。
【０３２９】
これにより、カメラ１０から交換レンズ１００にレンズ駆動用電源ＬＶ１、ＬＶ２、ＬＶ３を供給できる。
【０３３０】
（Ｃ）第５の端子及び第６の端子
アクセサリー２００が装着されることにより、グランド端子であるカメラ１０の第５の端子ＣＣ５及び第６の端子ＣＣ６は、アクセサリー２００の第５の接続配線ＡＬ５Ａ、ＡＬ５Ｂ及び第６の接続配線ＡＬ６を介して、交換レンズ１００の第５の端子ＬＣ５及び第６の端子ＬＣ６と電気的に接続できる。
【０３３１】
（Ｄ）第７の端子〜第１２の端子
アクセサリー２００が装着されることにより、通信端子であるカメラ１０の第７の端子ＣＣ７〜第１１の端子ＣＣ１１は、アクセサリー２００の第７の接続配線ＡＬ７〜第１１の接続配線ＡＬ１１を介して、交換レンズ１００の第７の端子ＬＣ７〜第１１の端子ＬＣ１１と電気的に接続される。これにより、カメラ１０と交換レンズ１００との間で３線式シリアル通信等が可能になる。
【０３３２】
また、アクセサリー２００が装着されることにより、カメラ側拡張通信端子であるカメラ１０の第１２の端子ＣＣ１２は、アクセサリー側第１拡張通信端子であるアクセサリー２００の第１２の端子Ａ１Ｃ１２及び第１２の接続配線ＡＬ１２Ａを介してアクセサリーマイコン２１０と電気的に接続される。また、レンズ側拡張通信端子である交換レンズ１００の第１２の端子ＬＣ１２は、アクセサリー側第２拡張通信端子であるアクセサリー２００の第１２の端子Ａ２Ｃ１２及び第１２の接続配線ＡＬ１２Ｂを介してアクセサリーマイコン２１０と電気的に接続される。これにより、カメラマイコン３４とアクセサリーマイコン２１０との間で通信が可能になり、かつ、レンズマイコン１１４とアクセサリーマイコン２１０との間で通信が可能になる。
【０３３３】
《アクセサリーの装着の検出》
上記のように、カメラマイコン３４は、第１２の端子ＣＣ１２の極性を判別することで、アクセサリー２００の装着の有無を検出できる。
【０３３４】
上記のように、アクセサリー２００をカメラ１０に装着すると、カメラ１０の第１２の端子ＣＣ１２がＬＯＷレベルに設定される。カメラマイコン３４は、第１２の端子ＣＣ１２がＬＯＷレベルであることを検出することにより、カメラ１０にアクセサリー２００が装着されたと判定する。
【０３３５】
《アクセサリーマイコンの起動》
カメラ１０から交換レンズ１００にレンズ駆動用電源ＬＶ１、ＬＶ２、ＬＶ３が供給されると、その一部がアクセサリー側システム電源生成部２５０に供給される。具体的には、最も低い電圧の第１のレンズ駆動用電源ＬＶ１（＋５Ｖ）が、アクセサリー側システム電源生成部２５０に供給される。アクセサリー側システム電源生成部２５０は、供給されたレンズ駆動用電源ＬＶ１を使用して、アクセサリーマイコン２１０のシステム電源（＋３．３Ｖ）を生成し、アクセサリーマイコン２１０に供給する。これにより、アクセサリーマイコン２１０が起動する。
【０３３６】
《アクセサリー情報の取得》
カメラ１０及び交換レンズ１００がアクセサリー２００と通信する機能を備えている場合、アクセサリー２００からカメラ１０にアクセサリー情報が送信される。
【０３３７】
ここで、アクセサリー情報とは、そのアクセサリー２００の仕様を示す情報である。アクセサリー情報には、たとえば、アクセサリー機種データ、アクセサリー装着位置データ、光学補正データ等が含まれる。アクセサリー機種データには、アクセサリー機種名、アクセサリー種別、メーカー名、プロダクトＩＤ等が含まれる。アクセサリー装着位置データには、有効なアクセサリーの装着位置のデータ、装着数のデータ等が含まれる。光学補正データには、アクセサリーを装着した場合の画像の補正データ等が含まれる。アクセサリー情報は、アクセサリーマイコン２１０のＲＯＭに格納される。アクセサリー２００は、カメラマイコン３４と通信し、アクセサリー情報をカメラマイコン３４に送信する。
【０３３８】
この際、アクセサリーマイコン２１０は、事前に取得したレンズ情報にアクセサリー情報を付加して、アクセサリー情報をカメラマイコン３４に送信する。すなわち、アクセサリーマイコン２１０は、カメラマイコン３４と通信して、そのアクセサリー情報をカメラマイコン３４に送信する前に、レンズマイコン１１４と通信し、レンズマイコン１１４からレンズ情報を取得する。そして、その取得したレンズ情報にアクセサリー情報を付加して、カメラマイコン３４に送信する。
【０３３９】
ところで、このような方法でのレンズ情報及びアクセサリー情報の取得は、カメラ１０及び交換レンズ１００の双方がアクセサリー２００と通信する機能を備えている場合にのみ実現できる。
【０３４０】
そこで、カメラ１０及び交換レンズ１００が装着されると、互換性の有無の判定として、カメラ１０及び交換レンズ１００の双方でアクセサリー２００と通信する機能の有無が判定される。
【０３４１】
具体的な判定方法は、上記第１の実施の形態で説明した方法と同じである。すなわち、カメラ側通信端子であるカメラ側の第１１の端子ＣＣ１１及びレンズ側通信端子である交換レンズ側の第１１の端子ＬＣ１１の極性を検出し、共にＨＩＧＨレベルの場合に互換性あり、と判定する。すなわち、カメラ１０及び交換レンズ１００の双方がアクセサリー２００と通信する機能を備えている、と判定する。
【０３４２】
なお、極性の設定は、次のとおりである。すなわち、カメラ側において、カメラ１０がアクセサリー２００と通信する機能を備えている場合、第１１の端子ＣＣ１１の極性をＨＩＧＨレベル（第１極性）に設定する。一方、カメラ１０がアクセサリー２００と通信する機能を備えていない場合、第１１の端子ＣＣ１１の極性をＬＯＷレベル（第２極性）に設定する。また、交換レンズ側において、交換レンズ１００がアクセサリー２００と通信する機能を備えている場合、第１１の端子ＬＣ１１の極性をＨＩＧＨレベル（第１極性）に設定する。一方、交換レンズ１００がアクセサリー２００と通信する機能を備えていない場合、第１１の端子ＬＣ１１の極性をＬＯＷレベル（第２極性）に設定する。
【０３４３】
この場合、装着されたカメラ１０及び交換レンズ１００の双方が、アクセサリー２００と通信する機能を備えている場合のみ、第１１の端子ＣＣ１１、ＬＣ１１の極性がＨＩＧＨレベル（第１極性）になる。
【０３４４】
レンズ情報及びアクセサリー情報の取得処理は、次の手順で行われる。
【０３４５】
上記の互換性の判定において、カメラ１０及び交換レンズ１００の双方が、アクセサリー２００と通信する機能を備えていると判定すると、レンズマイコン１１４は、第６の通信用ポートＬＰ６（ＴＸＤポート）からレンズ情報を出力する。
【０３４６】
レンズマイコン１１４の第６の通信用ポートＬＰ６から出力されたレンズ情報は、レンズ側拡張通信端子である第１２の端子ＬＣ１２を介して、カメラ側に送信される。
【０３４７】
カメラ側に送信されたレンズ情報は、アクセサリー２００のアクセサリー側第２端子群Ａ２ＣＧの第１２の端子Ａ２Ｃ１２を介してアクセサリーマイコン２１０に受信される。
【０３４８】
アクセサリーマイコン２１０は、交換レンズ１００からレンズ情報を受信すると、そのレンズ情報に自身のアクセサリー情報を付加してカメラ１０に送信する。送信された情報（レンズ情報＋アクセサリー情報）は、アクセサリー２００のアクセサリー側第１端子群Ａ１ＣＧの第１２の端子Ａ１Ｃ１２から出力され、カメラ１０の第１２の端子ＣＣ１２を介してカメラマイコン３４に受信される。
【０３４９】
これにより、カメラ１０は、装着されたアクセサリー２００及び交換レンズ１００の情報を同時に取得できる。
【０３５０】
なお、アクセサリー２００を装着せずに、交換レンズ１００がカメラ１０に直接装着された場合であって、互換性あり、と判定された場合、上記第１の実施の形態と同様に、レンズ情報のみがカメラ１０に送信される。
【０３５１】
《通信設定》
上記第１の実施の形態のカメラシステム１と同様に、互換性有無の判定後、カメラ１０と交換レンズ１００の双方で通信設定が行われる。通信設定は、上述したレンズ情報及びアクセサリー情報の取得処理と並行して行われる。これにより、起動を高速化できる。
【０３５２】
《カメラ側拡張通信端子及びレンズ側拡張通信端子の用途の切り換え》
上記第１の実施の形態のカメラシステム１と同様に、レンズ情報及びアクセサリー情報が取得された後、カメラ側拡張通信端子（第１２の端子ＣＣ１２）及びレンズ側拡張通信端子（第１２の端子ＬＣ１２）は、他の用途で使用される。具体的には、交換レンズ１００の状態を交換レンズ１００からカメラ１０に通知するための端子として使用される。この際、アクセサリー２００は、バイパスモードに切り換えられる。これにより、アクセサリー２００を介さずに直接、カメラ１０と交換レンズ１００とが通信できる。
【０３５３】
◆◆その他の実施の形態◆◆
［判定対象］
互換性の有無を判定する際に、その判定の対象となる機能は、特に限定されない。あらかじめ定められた機能への対応の有無が判定される。
【０３５４】
［アクセサリーの検出］
上記実施の形態では、レンズからカメラに向けてレンズ情報を送信し、そのレンズ情報にアクセサリー情報を付加することで、アクセサリーの装着の有無及び種類を検出する構成としているが、レンズ情報の取得とは、別にアクセサリーの検出処理を行う構成としてもよい。たとえば、レンズ情報を含まないアクセサリー検出用データをレンズからカメラに向けて送信し、そのアクセサリー検出用データにアクセサリー情報を付加して、アクセサリーの装着の有無及び種類を検出する構成としてもよい。この場合、レンズ情報は、別途取得される。たとえば、３線式シリアル通信により取得される。この場合、カメラ側からレンズ側にレンズ情報の送信要求を送信する。レンズ側は、この送信要求に応じてカメラ側にレンズ情報を送信する。
【０３５５】
［カメラ側通信端子及びレンズ側通信端子の構成］
上記実施の形態では、端子の極性に基づく互換性判定を可能にするため、カメラ側通信端子及びレンズ側通信端子の双方をオープンドレイン出力が可能な端子で構成しているが、端子の極性に基づく互換性判定を可能にするための構成は、これに限定されるものではない。この他、たとえば、カメラ側通信端子及びレンズ側通信端子の双方をオープンコレクタ出力が可能な端子で構成することによっても同様の機能を実現できる。また、カメラ側通信端子及びレンズ側通信端子の一方をオープンドレイン出力が可能な端子で構成し、他方をオープンコレクタ出力が可能な端子で構成することによっても同様の機能を実現できる。
【０３５６】
［レンズ駆動用電源の強化］
電源供給部４２が、特定の電源の供給能力を強化する機能（供給能力強化機能）を備え、レンズ駆動用電源の供給能力を強化できるように構成してもよい。この場合、電源供給部４２は、複数供給するレンズ駆動用電源のうちの最も高い電圧のレンズ駆動用電源の供給能力を強化させる構成にする。
【０３５７】
供給能力を強化する態様としては、供給する電圧を高くする態様、及び／又は、供給する電流量を大きくする態様を採用できる。
【０３５８】
カメラマイコン３４は、必要に応じて最も高い電圧のレンズ駆動用電源の供給能力を強化させる。たとえば、レンズ駆動用電源の供給能力を強化することにより駆動性能を向上できる交換レンズが装着された場合は、最も高い電圧のレンズ駆動用電源の供給能力を強化させる。
【０３５９】
レンズ駆動用電源の供給能力を強化することにより駆動性能を向上できる交換レンズであるか否かは、交換レンズごとに異なる。レンズ駆動用電源の供給能力を強化することにより駆動性能を向上できる交換レンズについては、その情報をレンズマイコン１１４のＲＯＭに格納し、レンズ情報に含めて、カメラ１０に送信する。
【０３６０】
カメラマイコン３４は、取得したレンズ情報に基づいて、装着された交換レンズが、レンズ駆動用電源の供給能力を強化することにより、駆動性能を向上できる交換レンズであるか否かを判断する。すなわち、供給能力が強化されたレンズ駆動用電源の供給の要否を判別する。そして、供給能力が強化されたレンズ駆動用電源の供給が必要である、と判別すると、電源供給部４２の供給能力強化機能を動作させる。これにより、電源供給部４２から供給能力を強化したレンズ駆動用電源が供給される。なお、この場合、上記のように、最も高い電圧のレンズ駆動用電源の供給能力が強化されて供給される。
【０３６１】
このように、必要に応じてレンズ駆動用電源の供給能力を強化することにより、交換レンズごとに必要な電源を適切に供給できる。また、これにより、交換レンズの高性能化が図れる。
【０３６２】
［カメラシステムの構成］
上記実施の形態では、カメラをデジタルカメラで構成しているが、本発明は、いわゆる銀塩カメラにも適用できる。
【０３６３】
上記実施の形態では、交換レンズとして、ＡＦ機能及び絞りを備えた交換レンズを例に説明したが、交換レンズに備える機能は、これに限定されるものではない。この他、たとえば、電動式のズーム機能等を備えてもよい。電動式のズーム機能を備えた交換レンズでは、ズーム用の光学部材であるズームレンズを駆動するズーム駆動部が備えられる。
【０３６４】
アクセサリーには、上記のように、エクステンダー、エクステンションチューブ等の公知のアクセサリーを採用できる。アクセサリーに駆動部が備えられる場合は、交換レンズの場合と同様に、レンズ駆動用電源を利用して、駆動部が駆動される。
【０３６５】
［レンズ駆動用電源の種類］
カメラから交換レンズに供給するレンズ駆動用電源の種類は、カメラシステムを構成する交換レンズに応じて適宜設定される。たとえば、カメラシステムを構成する交換レンズの一つが４つの光学部材駆動部を備えており（たとえば、フォーカス駆動部、手ブレ補正機構駆動部、絞り駆動部及びズーム駆動部）それぞれが異なる動作電圧で動作する場合、４種類のレンズ駆動用電源がカメラから供給される。この場合、電源端子として４つの端子が、カメラ側端子群及びレンズ側端子群に備えられる。
【０３６６】
［グランド端子］
上記実施の形態では、グランド端子を二つ備えているが、グランド端子は一つで構成することもできる。なお、上記実施の形態のカメラシステムのように、グランド端子を複数備えることにより、より安定した電源供給が可能になる。
【０３６７】
なお、上記実施の形態では、独立した二つのグランド端子を備えているが、二つのグランド端子を繋げてもよい。これにより、端子の面積を拡大でき、より安定した電源供給が可能になる。
【０３６８】
［レンズマイコンにシステム電源が正常に供給されたことの検出］
上記実施の形態では、特定の端子の極性を判別して、レンズマイコンにシステム電源が正常に供給されたことを検出しているが、極性を判別する端子は、少なくとも一つでよい。すなわち、交換レンズ側において、プルアップ抵抗を介してシステム電源の電位にプルアップする端子は、少なくとも一つあればよい。この場合、電源端子及びグランド端子を除いた少なくとも一つの端子を検出用の端子として使用する。
【０３６９】
なお、上記実施の形態のカメラシステム１のように、複数の端子の極性を判別することにより、レンズマイコンにシステム電源が正常に供給されたことを、より正確に検出できる。
【０３７０】
［各種の処理を行う構成］
上記実施の形態では、各種処理を行うカメラ制御部をマイコン（カメラマイコン）で構成しているが、各種処理を行うためのハードウェア的な構成は、これに限定されるものではない。各種のプロセッサーで構成できる。各種のプロセッサーには、ソフトウェア（プログラム）を実行して各種の処理を行う処理部として機能する汎用的なプロセッサーであるＣＰＵ、ＦＰＧＡ（ＦＰＧＡ：Field Programmable Gate Array）などの製造後に回路構成を変更可能なプロセッサーであるＰＬＤ（ＰＬＤ：Programmable Logic Device）、ＡＳＩＣ（ＡＳＩＣ：Application Specific Integrated Circuit）などの特定の処理を実行させるために専用に設計された回路構成を有するプロセッサーである専用電気回路などが含まれる。
【０３７１】
一つの処理部は、これら各種のプロセッサーのうちの一つで構成されていてもよいし、同種又は異種の二つ以上のプロセッサーで構成されていてもよい。たとえば、複数のＦＰＧＡで構成されてもよいし、ＣＰＵ及びＦＰＧＡの組み合わせで構成されてもよい。
【０３７２】
また、複数の処理部を一つのプロセッサーで構成してもよい。複数の処理部を一つのプロセッサーで構成する例としては、第１に、クライアント、サーバなどのコンピューターに代表されるように、一つ以上のＣＰＵとソフトウェアとの組合せで一つのプロセッサーを構成し、このプロセッサーが複数の処理部として機能する形態がある。第２に、システムオンチップ（ＳｏＣ：System On Chip）などに代表されるように、複数の処理部を含むシステム全体の機能を一つのＩＣチップ（ＩＣ：Integrated Circuit）で実現するプロセッサーを使用する形態がある。このように、各種の処理部は、ハードウェア的な構造として、上記各種のプロセッサーを一つ以上用いて構成される。
【０３７３】
更に、これらの各種のプロセッサーのハードウェア的な構造は、より具体的には、半導体素子などの回路素子を組み合わせた電気回路である。
【符号の説明】
【０３７４】
１  カメラシステム
１０  カメラ
１２  カメラボディー
１４  カメラ側マウント
１６  イメージセンサー
１８  シャッター
２０  イメージセンサー駆動部
２２  シャッター駆動部
２４  アナログ信号処理部
２６  表示部
２８  画像データ記憶部
３０  カメラ操作部
３２  電源部
３４  カメラマイコン
４０  バッテリー
４２  電源供給部
４４  レンズ駆動用電源スイッチ部
５０  デジタル信号処理部
５２  表示制御部
５４  記録制御部
５６  電源制御部
５８  レンズ駆動用電源スイッチ制御部
６０  レンズ装着検出部
６２  カメラ通信部
６４  カメラマイコン入出力ポート
７０  カメラ側通信端子極性設定部
７２  カメラ側判定部
１００  交換レンズ
１０２  レンズ鏡胴
１０４  レンズ側マウント
１０６Ａ  フォーカスレンズ
１０６Ｃ  絞り
１１０  レンズ駆動部
１１０Ａ  フォーカス駆動部
１１０Ｃ  絞り駆動部
１１２  レンズ側システム電源生成部
１１４  レンズマイコン
１２０  フォーカス駆動制御部
１２４  絞り駆動制御部
１２６  レンズ通信部
１２８  レンズマイコン入出力ポート
１３０  レンズ側通信端子極性設定部
１３２  レンズ側判定部
２００  アクセサリー
２０２  アクセサリーボディー
２０４Ａ  アクセサリー側第１マウント
２０４Ｂ  アクセサリー側第２マウント
２１０  アクセサリーマイコン
２１２  アクセサリー通信部
２１４  バイパス制御部
２１６  アクセサリーマイコン入出力ポート
２３２  バイパス線
２３４  第１のＦＥＴ
２３６  第２のＦＥＴ
２３８  配線
２４０  第３のＦＥＴ
２４２  プルアップ抵抗
２４４  配線
２５０  アクセサリー側システム電源生成部
２６０  配線
Ａ１ＣＧ  アクセサリー側第１端子群
Ａ１Ｃ１  アクセサリー側第１端子群を構成する第１の端子
Ａ１Ｃ２  アクセサリー側第１端子群を構成する第２の端子
Ａ１Ｃ３  アクセサリー側第１端子群を構成する第３の端子
Ａ１Ｃ４  アクセサリー側第１端子群を構成する第４の端子
Ａ１Ｃ５  アクセサリー側第１端子群を構成する第５の端子
Ａ１Ｃ６  アクセサリー側第１端子群を構成する第６の端子
Ａ１Ｃ７  アクセサリー側第１端子群を構成する第７の端子
Ａ１Ｃ８  アクセサリー側第１端子群を構成する第８の端子
Ａ１Ｃ９  アクセサリー側第１端子群を構成する第９の端子
Ａ１Ｃ１０  アクセサリー側第１端子群を構成する第１０の端子
Ａ１Ｃ１１  アクセサリー側第１端子群を構成する第１１の端子
Ａ１Ｃ１２  アクセサリー側第１端子群を構成する第１２の端子
Ａ２ＣＧ  アクセサリー側第２端子群
Ａ２Ｃ１  アクセサリー側第２端子群を構成する第１の端子
Ａ２Ｃ２  アクセサリー側第２端子群を構成する第２の端子
Ａ２Ｃ３  アクセサリー側第２端子群を構成する第３の端子
Ａ２Ｃ４  アクセサリー側第２端子群を構成する第４の端子
Ａ２Ｃ５  アクセサリー側第２端子群を構成する第５の端子
Ａ２Ｃ６  アクセサリー側第２端子群を構成する第６の端子
Ａ２Ｃ７  アクセサリー側第２端子群を構成する第７の端子
Ａ２Ｃ８  アクセサリー側第２端子群を構成する第８の端子
Ａ２Ｃ９  アクセサリー側第２端子群を構成する第９の端子
Ａ２Ｃ１０  アクセサリー側第２端子群を構成する第１０の端子
Ａ２Ｃ１１  アクセサリー側第２端子群を構成する第１１の端子
Ａ２Ｃ１２  アクセサリー側第２端子群を構成する第１２の端子
ＡＬ１  アクセサリーの第１の接続配線
ＡＬ２  アクセサリーの第２の接続配線
ＡＬ３  アクセサリーの第３の接続配線
ＡＬ４  アクセサリーの第４の接続配線
ＡＬ５Ａ  アクセサリーの第５の接続配線
ＡＬ５Ｂ  アクセサリーの第５の接続配線
ＡＬ６  アクセサリーの第６の接続配線
ＡＬ７  アクセサリーの第７の接続配線
ＡＬ８  アクセサリーの第８の接続配線
ＡＬ９  アクセサリーの第９の接続配線
ＡＬ１０  アクセサリーの第１０の接続配線
ＡＬ１１  アクセサリーの第１１の接続配線
ＡＬ１２Ａ  アクセサリーの第１２の接続配線
ＡＬ１２Ｂアクセサリーの  第１２の接続配線
ＡＰ１  アクセサリーマイコンの第１のポート
ＡＰ２  アクセサリーマイコンの第２のポート
ＡＰ３  アクセサリーマイコンの第３のポート
ＡＰ４  アクセサリーマイコンの第４のポート
ＡＲ１２  プルダウン抵抗
ＣＣＧ  カメラ側端子群
ＣＣ１  カメラ側端子群を構成する第１の端子
ＣＣ２  カメラ側端子群を構成する第２の端子
ＣＣ３  カメラ側端子群を構成する第３の端子
ＣＣ４  カメラ側端子群を構成する第４の端子
ＣＣ５  カメラ側端子群を構成する第５の端子
ＣＣ６  カメラ側端子群を構成する第６の端子
ＣＣ７  カメラ側端子群を構成する第７の端子
ＣＣ８  カメラ側端子群を構成する第８の端子
ＣＣ９  カメラ側端子群を構成する第９の端子
ＣＣ１０  カメラ側端子群を構成する第１０の端子
ＣＣ１１  カメラ側端子群を構成する第１１の端子
ＣＣ１２  カメラ側端子群を構成する第１２の端子
ＣＰ０  カメラマイコンのレンズ検出用ポート
ＣＰ１  カメラマイコンの第１の通信用ポート
ＣＰ２  カメラマイコンの第２の通信用ポート
ＣＰ３  カメラマイコンの第３の通信用ポート
ＣＰ４  カメラマイコンの第４の通信用ポート
ＣＰ５  カメラマイコンの第５の通信用ポート
ＣＰ６  カメラマイコンの第６の通信用ポート
ＣＰ７  カメラマイコンの第７の通信用ポート
ＣＲ１  プルアップ抵抗
ＬＣＧ  レンズ側端子群
ＬＣ１  レンズ側端子群を構成する第１の端子
ＬＣ２  レンズ側端子群を構成する第２の端子
ＬＣ３  レンズ側端子群を構成する第３の端子
ＬＣ４  レンズ側端子群を構成する第４の端子
ＬＣ５  レンズ側端子群を構成する第５の端子
ＬＣ６  レンズ側端子群を構成する第６の端子
ＬＣ７  レンズ側端子群を構成する第７の端子
ＬＣ８  レンズ側端子群を構成する第８の端子
ＬＣ９  レンズ側端子群を構成する第９の端子
ＬＣ１０  レンズ側端子群を構成する第１０の端子
ＬＣ１１  レンズ側端子群を構成する第１１の端子
ＬＣ１２  レンズ側端子群を構成する第１２の端子
ＬＰ１  レンズマイコンの第１の通信用ポート
ＬＰ２  レンズマイコンの第２の通信用ポート
ＬＰ３  レンズマイコンの第３の通信用ポート
ＬＰ４  レンズマイコンの第４の通信用ポート
ＬＰ５  レンズマイコンの第５の通信用ポート
ＬＰ６  レンズマイコンの第６の通信用ポート
ＬＰ７  レンズマイコンの第７の通信用ポート
ＬＲ１  プルダウン抵抗
ＬＲ７  プルアップ抵抗
ＬＲ８  プルアップ抵抗
ＬＲ９  プルダウン抵抗
ＬＲ１２  プルアップ抵抗
ＬＶ１  第１のレンズ駆動用電源
ＬＶ２  第２のレンズ駆動用電源
ＬＶ３  第３のレンズ駆動用電源
Ｒ  回転方向
【図１】
0006571888.tif 000002
【図２】
0006571888.tif 000003
【図３】
0006571888.tif 000004
【図４】
0006571888.tif 000005
【図５】
0006571888.tif 000006
【図６】
0006571888.tif 000007
【図７】
0006571888.tif 000008
【図８】
0006571888.tif 000009
【図９】
0006571888.tif 000010
【図１０】
0006571888.tif 000011
【図１１】
0006571888.tif 000012
【図１２】
0006571888.tif 000013
【図１３】
0006571888.tif 000014
【図１４】
0006571888.tif 000015
【図１５】
0006571888.tif 000016